(57)【要約】  口腔内の状態と口腔の硬組織及び軟組織との間における視覚的コントラストにより、その状態を検出できる口腔用組成物は、少なくとも１種の検出剤を有する。口腔内の状態を目立たせるために、検出剤は蛍光することができる。
2010508947.tif 000002
【特許請求の範囲】
【請求項１】
蛍光することができ、それにより口腔内の状態を目立たせる検出剤を含み、
前記検出剤がジブロモフルオロセインであり、
約０．１重量パーセント〜約０．５重量パーセントのジブロモフルオロセインを含む、口腔用組成物。
【請求項２】
ハンドル領域及びヘッド領域を有する本体と、
前記ヘッド領域に配置されるエネルギー源と、を備え、
前記エネルギー源が約３８０ｎｍ〜約７００ｎｍの波長を有する可視光線を供給できる、口腔衛生装置。
【請求項３】
蛍光することができ、それにより口腔内の状態を目立たせるとともに、ジブロモフルオロセインからなる検出剤であって、口腔用組成物が約０．１重量パーセント〜約０．５重量パーセントのジブロモフルオロセインを含む、検出剤と、
ハンドル領域及びヘッド領域を有する本体を含む口腔衛生装置であって、エネルギー源が前記ヘッド領域に配置され、前記エネルギー源が約３８０ｎｍ〜約７００ｎｍの波長を有する可視光線を供給でき、前記検出剤に適用される前記エネルギーが検出剤を蛍光させる口腔衛生装置と、
を備える口腔衛生キット。
【請求項４】
前記口腔内の口腔状態を表示する方法であって、
口腔用組成物を前記口腔に適用する工程であって、ジブロモフルオロセインである検出剤を含み、前記検出剤が約０．１重量パーセント〜約０．５重量パーセントで存在する、口腔用組成物を口腔に適用する工程と、
前記口腔にエネルギー源からのエネルギーを適用する工程と、
前記口腔内の表示された状態を観察する工程と、
洗浄操作を行って前記表示された状態の存在を低減する工程と、を含む方法。
【請求項５】
前記口腔へ電磁エネルギーを供給するために適応できるエネルギー源と、
前記口腔内の表示された状態をユーザーに視覚的に認識させることができる観察面と、
充電式歯科用器具の充電器と、を備える装置。
【請求項６】
ハンドル領域及びヘッド領域を有する本体と、
前記ヘッド領域に配置される複数の毛と、を備え、
前記複数の毛の少なくとも一部が実質的にオレンジ色である、口腔衛生装置。
【発明の詳細な説明】
【背景技術】
【０００１】
本発明は、一般には歯垢検出システム、詳細には、蛍光染料を含む歯磨剤及びユーザーの口中の残留染料を照らすことができ、並びに歯ブラシ上の染料汚れの視覚的な表示を低減させることができる光る歯ブラシに関する。
【発明の概要】
【発明が解決しようとする課題】
【０００２】
口腔ヘルスケアの分野において多くの発明がなされてきたが、口腔内の状態、例えば歯垢の残存を表示できるシステムが、求められ続けている。その上、このような状態の一部を除去する、例えば歯垢の除去を促進できるシステムが必要とされている。
【課題を解決するための手段】
【０００３】
本発明のいくつかの態様は、ユーザー及び／又は観察者に対し、口腔状態の視覚的表示を提供可能な検出剤を含む口腔用組成物に関する。検出剤は、表示された状態と周囲の口腔組織／口腔面との間に視覚的コントラストをもたらす。
【０００４】
本発明の他の態様は、エネルギー源を備える器具／装置に関する。器具／装置上のエネルギー源は、検出剤にエネルギーを供給し、それにより検出剤を活性化し、それにより視覚的コントラストを誘発することができる。
【０００５】
本発明の他の態様は、少なくとも１種の本発明による口腔用組成物と、少なくとも１種の本発明による器具／装置と、を備えるキットに関する。本発明のキットを利用し、ユーザー及び／又は観察者に視覚的表示を提供し、状態の軽減、例えば歯垢、歯石などの除去に役立ててよい。
【０００６】
本発明の他の態様は、口腔内状態の表示法及び／又は口腔内状態の除去／軽減法に関する。例えば本発明による口腔用組成物を口腔に適用する場合、最初のブラッシングの後、歯垢の残存を状態として表示することができる。このように、ユーザー／観察者は、歯垢の残存が表示される場所を再度ブラッシングし、それにより表示された状態を除去することができる。
【図面の簡単な説明】
【０００７】
【図１Ａ】本発明により構成された歯ブラシを示す平面図。
【図１Ｂ】図１Ａの歯ブラシのヘッド領域及び首領域を示す拡大平面図。
【図２】図１Ｂのヘッド領域及び首領域の実施形態を示す部分断面図。
【図３Ａ】図２のヘッド領域及び首領域の実施形態を示す分解部分断面図。
【図３Ｂ】図２のヘッド領域及び首領域の実施形態を示す分解部分断面図。
【図４Ａ】本発明により構成された歯ブラシのヘッド領域及び首領域の他の実施形態を示す部分断面図。
【図４Ｂ】図４Ａのヘッド領域及び首領域を示す拡大平面図。
【図５】検出剤適用量、検出剤濃度、エネルギー源強度、及び歯磨剤使用量との相関関係を示すグラフ。
【図６】歯ブラシのヘッドと、歯ブラシヘッド中のＬＥＤの照明角度を示す部分側面図。
【図７Ａ】本発明の他の実施形態による歯ブラシヘッドの平面図。
【図７Ｂ】図７Ａの歯ブラシヘッドの側面図。
【発明を実施するための形態】
【０００８】
定義及び規則
本明細書の以下で使用される全ての百分率及び比率は、特に指示がない限り、組成物全体の重量を基準とする。本明細書で言及される成分の全ての百分率、比率、及び濃度は、特に指示がない限り成分の実際の量に基づき、市販製品として成分と組み合わされている場合がある溶媒、充填剤、又はその他の物質を包含しない。
【０００９】
本明細書で参照されている全ての測定は、特に指定がない限り、２５℃で行われる。
【００１０】
組成物の追加成分に関して、「相溶する」は、組成物の安定性及び／又は有効性を実質的に低減する方法での相互作用なく、追加成分と組成物の他の成分が混合可能であることを意味する。
【００１１】
本明細書で使用するとき、用語「口腔状態」及び「状態」は、口腔内の歯垢、歯石、堆積物、う歯、バイオフィルム、軟組織異常、軟組織障害などに関して用いられる。
【００１２】
本明細書で使用するとき、用語「歯垢（plaque）」及び「歯垢（dental plaque）」は、歯の上、歯肉組織、口腔硬組織、及び／又は口腔軟組織上に蓄積するバイオフィルムに関して用いられる。
【００１３】
「歯垢細菌」は、歯垢形成の原因となる細菌を意味する。
【００１４】
用語「歯磨剤」は、本明細書で使用するとき、特に指定がない限り、口腔面の処置に用いられるペースト、ゲル、粉末、又は液体製剤を意味する。歯磨剤組成物は、単一相組成物であってもよく又は２つ以上の別々の歯磨剤組成物の組み合わせであってもよい。歯磨剤組成物は、深くまで達する縞状、表面的な縞状、ペーストを囲むゲルを有する多層状、シース／コア配置、共押出されたシース／コア配置、又はこれらの任意の組み合わせなど、任意の所望の形態であってもよい。２種以上の別個の歯磨剤組成物を含む歯磨剤中の各歯磨剤組成物は、ディスペンサーの物理的に分離された区画内に収容され、同時に分与されてもよいし、物理的に分離せずに縞状としてもよい。
【００１５】
本明細書で使用するとき、用語「検出剤」は、ユーザー及び／又はユーザー以外の観察者に口腔状態を表示する剤、要素、材料、組成物、又は化合物に対して用いられる。本発明の目的において「検出剤」は、口腔内の状態を、口腔内がその状態になっていないときよりもより見えやすくできる。
【００１６】
本明細書で使用するとき、用語「ディスペンサー」は、口腔用組成物を分与するのに好適な任意のポンプ、チューブ、パッケージ、又は容器を意味する。
【００１７】
本明細書で使用するとき、用語「エネルギー源」は、その要素が配置される場所において電力を変換できる任意の電動要素を含む。例えば発光要素は、要素が配置される場所、例えば歯ブラシのヘッド領域上において、電力を光に変換できる。別の例として、発光要素は、要素が配置される場所で電力を光に変換でき、装置の別の場所に光を移動できる。本発明の目的において任意の好適なエネルギー源は、例えば発光ダイオード、白熱要素を用いた発光要素、レーザー要素、ハロゲン要素、ネオン要素、蛍光要素、プラズマ要素、キセノン要素、フロス要素、マッサージ要素、スクレイプ要素、発熱要素、音波放射要素、超音波放射要素、電流発生要素、組成物放射要素、赤外線放射要素、紫外線放射要素、及び／又はこれらの任意の組み合わせで十分である。
【００１８】
「蛍光する」は、エネルギーの吸収による、エネルギー（例えば可視光線）の放出に対して用いられる。
【００１９】
「蛍光色」は、蛍光する間の、剤、要素、材料、組成物、又は化合物の色に対して用いられる。
【００２０】
「フルオロフォア」は、エネルギー放出が本質的にエネルギー吸収の直後であるか、エネルギー吸収と同時であるか、又はエネルギー放出がエネルギー吸収の後に遅れて起こるかには関わらず、「蛍光する」剤、要素、材料、組成物、又は化合物に対して用いられるものである。
【００２１】
「挙げられる」及びその変形は、一覧で「挙げられた」項目の詳細説明が、他の項目を除外しないという意味で、非限定的である。
【００２２】
「マーブル状」は、大理石に似た、筋のある及び／又はまだら状の外観を有するストライプ模様を指す。
【００２３】
本明細書で使用するとき、用語「マイクロカプセル」及び「マイクロカプセル封入」は、活性物質（例えば検出剤）を含む、典型的には直径１０００ミクロン未満の小型カプセルの記述に対し、交換可能に用いられる。
【００２４】
「視覚的に認識可能」は、ユーザー又は第三者に見えることを意味する。
【００２５】
「周辺光」は、日光又は従来の室内照明に用いられる照明器具（すなわち電球）から供給される、室内に通常存在する光を指す。一般に周辺光には、可視スペクトル内の電磁スペクトルの波長の大部分又は全てが含まれる。
【００２６】
「口腔ケア組成物」又は「口腔用組成物」は、通常の使用過程において、口腔の活性を目的として、選択された歯の表面及び／又は口腔組織と接触させるために、口腔内に保持することができる製品を意味する。歯垢除去のための歯の洗浄に加え、口腔ケア組成物は、歯石の形成及び虫歯、歯周炎、歯肉炎などの疾患の予防、並びに口腔内の悪臭若しくは口臭及び染みの除去や予防を行うために用いられる場合がある。いくつかの口腔ケア製品の形態例は、練り歯磨き、歯磨剤、歯磨きゲル、歯肉縁下用ゲル、フォーム、口内洗浄剤、義歯製品、口内スプレー、薬用キャンディー、咀しゃく錠又はチューインガム、及び任意の口腔硬組織又は口腔軟組織を含む口腔面への直接適用又は貼付用のストリップやフィルムである。
【００２７】
「口腔で許容可能な添加剤」は、口腔ケア組成物への安全で有効な添加剤として、現在既知の又は以下で既知となる任意の添加剤を意味する。例として、フッ化物イオン源、抗結石又は抗歯石剤、減感剤、過酸化物源などの歯白色化剤、シリカなどの研磨剤、薬草剤、キレート化剤、緩衝剤、抗染み剤、アルカリ金属重炭酸塩類、増粘物質、保湿剤、水、界面活性剤、二酸化チタン、着香料系、甘味剤、キシリトール、着色剤、及びこれらの混合物が挙げられるがこれらに限定されない、口腔ケア組成物中の従来の添加剤が包含される。
【００２８】
検出剤と関連して「優先的に表示する」は、様々な異なる組織（例えば、唇、舌、歯肉）、何も付いていない歯のエナメル質、歯垢で覆われている若しくは歯垢が蓄積している歯のエナメル質、及び任意の歯科治療物（例えば、アマルガム、インレー、クラウン、ブリッジなど）を含む口腔において、エネルギー源からエネルギーが検出剤に適用されると、検出剤が口腔全体を表示するのではなく、口腔内の状態の存在を表示することを意味する。
【００２９】
「ストライプ」又は「リボン」は、保存される包装内で別個に区別可能な物理的空間を占有しているが、別の「ストライプ」と直接接している組成物の相を意味する。ストライプは、パッケージの寸法全域に比較的一様で均一であってよい。あるいは、ストライプは、一様でなくてよく、例えば波形であってよいし又は寸法において均一でなくてもよい。ストライプは、包装の寸法全体にわたって必ずしも延びているわけではない。ストライプには、様々な幾何学模様を含めてよい。
【００３０】
「歯」は、１本以上の天然歯及び１本以上の人工歯、又は１つ以上の歯科補綴物を指す。
【００３１】
「視覚的に区別可能」は、視覚的に異なる相を表示する組成物に対して用いられる。これらの異なる相は、はっきりと分離している又は多液相組成物が視覚的に確認可能な限り部分的に混合しているのいずれかである。
【００３２】
本発明は、口腔内の状態を表示する製品、システム、及び方法を提供する。本明細書に記載する口腔用組成物は、口腔内の様々な状態のうち、少なくとも１つを検出できるが、簡略化のため、以下では歯垢及び同種の堆積物に主に焦点を当てる。同様に、本発明は、エネルギー源を備えることができる任意の口腔ケア装置の使用を企図しているが、簡略化のため、以下ではエネルギー源を備えた歯ブラシに焦点を当てる。
【００３３】
口腔用組成物
検出剤
本発明の口腔用組成物は、１種の検出剤又は複数種類の検出剤を含む。本発明の検出剤を利用し、観察者及び／又はユーザーに対して、口腔状態の視覚的表示を提供できる。観察者及び／又はユーザーに対する口腔状態の視覚的表示は、観察者及び／又はユーザーを助けて、その状態を除去したり、あるいは専門家、例えば歯科医、口腔外科医などにより処置されるべき状態を表示したりすることができる。
【００３４】
本発明の検出剤は、口腔の状態と口腔内のその他組織及び表面との間に視覚的コントラストをもたらすことにより、口腔内の状態を視覚的に表示することができる。例えば、エネルギー源からのエネルギーに検出剤がさらされるとき、検出剤が口腔状態の位置において蛍光するように検出剤を選択してよい。視覚的コントラストをもたらすその他の例を、以下に記載する。具体例として、検出剤を口腔に適用し、ユーザー及び／又は観察者に対し歯垢の残存を視覚的に目立たせる及び／又は表示することができる。
【００３５】
いくつかの実施形態では、本明細書で目的とするとおり、安全に使用される限りは、第１の波長範囲において光エネルギーを吸収し、それに応じて第２の波長範囲において光を放出する任意の剤、材料、要素、化合物、又は組成物が好適な検出剤となり得る。いくつかの実施形態では、第１の波長範囲は、第２の波長範囲と異なってよい。例えば、検出剤は、フルオロフォアを含んでよい。
【００３６】
いくつかの好適な検出剤の例として、フルオレセイン（fluoroscein）、ジブロモフルオレセイン（dibromofluoroscein）、トリブロモフルオレセイン（tribromofluoroscein）、テトラブロモフルオレセイン（tetrabromofluoroscein）、その他のフルオレセイン誘導体（フルオレセインの塩など）、キサンテン、ピレン、例えばピラニン、Ｄ＆Ｃ青色１号、Ｄ＆Ｃ青色２号、Ｄ＆Ｃ緑色３号、Ｄ＆Ｃ赤色３号、Ｄ＆Ｃ赤色６号、Ｄ＆Ｃ赤色７号、Ｄ＆Ｃ赤色２１号、Ｄ＆Ｃ赤色２２号、Ｄ＆Ｃ赤色２７号、Ｄ＆Ｃ赤色２８号、Ｄ＆Ｃ赤色３３号、Ｄ＆Ｃ赤色４０号、Ｄ＆Ｃ黄色５号、Ｄ＆Ｃ黄色６号、Ｄ＆Ｃ黄色１０号、これらの組み合わせ、又は例えば米国食品医薬品局などの規制当局から医療用及び化粧品用として認められているその他の任意の染料が挙げられる。その他の好適な検出剤として、カリフォルニア州カールズバッド（Carlsbad）のインビトロジェン社（Invitrogen Corporation）から商標名アレクサフルオロ（Alexafluor）（商標）で販売されるものが挙げられる。その他の好適な検出剤として、カリフォルニア州カールズバッド（Carlsbad）のインビトロジェン社（Invitrogen Corporation）から商標名アレクサフルオロ（Alexafluor）（商標）で販売されるものが挙げられる。
【００３７】
検出剤にフルオロフォアを含む実施形態では、検出剤が、約３８０ｎｍ〜約７８０ｎｍの範囲又はその範囲内の任意の個々の波長を有する電磁エネルギーに応じて蛍光する様に、検出剤を選択してよい。いくつかの実施形態では、検出剤は、約３８０ｎｍ超過、約３９０ｎｍ超過、約４００ｎｍ超過、約４１０ｎｍ超過、約４２０ｎｍ超過、約４３０ｎｍ超過、約４４０ｎｍ超過、約４５０ｎｍ超過、約４６０ｎｍ超過、約４７０ｎｍ超過、約４８０ｎｍ超過、約４９０ｎｍ超過、約５００ｎｍ超過、約５１０ｎｍ超過、約５２０ｎｍ超過、約５３０ｎｍ超過、約５４０ｎｍ超過、約５５０ｎｍ超過、約５６０ｎｍ超過、約５７０ｎｍ超過、約５８０ｎｍ超過、約５９０ｎｍ超過、約６００ｎｍ超過、約６１０ｎｍ超過、約６２０ｎｍ超過、約６３０ｎｍ超過、約６４０ｎｍ超過、約６５０ｎｍ超過、約６６０ｎｍ超過、約６７０ｎｍ超過、約６８０ｎｍ超過、約６９０ｎｍ超過、約７００ｎｍ超過、約７１０ｎｍ超過、約７２０ｎｍ超過、約７３０ｎｍ超過、約７４０ｎｍ超過、約７５０ｎｍ超過、約７６０ｎｍ超過、及び／又は、約７８０ｎｍ未満、約７７０ｎｍ未満、約７６０ｎｍ未満、約７５０ｎｍ未満、約７４０ｎｍ未満、約７３０ｎｍ未満、約７２０ｎｍ未満、約７１０ｎｍ未満、約７００ｎｍ未満、約６９０ｎｍ未満、約６８０ｎｍ未満、約６７０ｎｍ未満、約６６０ｎｍ未満、約６５０ｎｍ未満、約６４０ｎｍ未満、約６３０ｎｍ未満、約６２０ｎｍ未満、約６１０ｎｍ未満、約６００ｎｍ未満、約５９０ｎｍ未満、約５８０ｎｍ未満、約５７０ｎｍ未満、約５６０ｎｍ未満、約５５０ｎｍ未満、約５４０ｎｍ未満、約５３０ｎｍ未満、約５２０ｎｍ未満、約５１０ｎｍ未満、約５００ｎｍ未満、約４９０ｎｍ未満、約４８０ｎｍ未満、約４７０ｎｍ未満、約４６０ｎｍ未満、約４５０ｎｍ未満、約４４０ｎｍ未満、約４３０ｎｍ未満、約４２０ｎｍ未満、約４１０ｎｍ未満、若しくは約４００ｎｍ未満の波長を有する電磁エネルギーに応じて、蛍光してよい。
【００３８】
いくつかの実施形態では、検出剤は、約４００ｎｍ〜約５３０ｎｍの波長を有する電磁エネルギーに応じて蛍光してよい。例えば、ある特定の実施形態では、検出剤は、約４７０ｎｍの波長を有する電磁エネルギーに応じて蛍光する。他の実施形態では、検出剤は、約４００ｎｍ〜約４４０ｎｍの波長を有する電磁エネルギーに応じて蛍光してよい。他の実施形態では、検出剤は、約４４０ｎｍ〜約５３０ｎｍの波長を有する電磁エネルギーに応じて蛍光してよい。更に、可視光線スペクトル外（例えば可視光線より長い波長若しくは短い波長、長い波長と短い波長の組み合わせ、並びに／又は長い波長、短い波長、及び可視スペクトルの組み合わせ）の波長を有する電磁エネルギーに応じて、検出剤が蛍光する実施形態が企図される。例えば、紫外線、例えばＵＶＡ（約３１５ｎｍ〜約４００ｎｍ）、ＵＶＢ（約２８０ｎｍ〜約３１５ｎｍ）、及び／又はＵＶＣ（約２８０ｎｍ未満）に応じて、検出剤が蛍光する実施形態が企図される。
【００３９】
いくつかの実施形態では、検出剤は、約４００ｎｍ超過の波長を有する電磁エネルギーを放出してよい。例えば、本発明で有用な検出剤は、約４１０ｎｍ超過、約４２０ｎｍ超過、約４３０ｎｍ超過、約４４０ｎｍ超過、約４５０ｎｍ超過、約４６０ｎｍ超過、約４７０ｎｍ超過、約４８０ｎｍ超過、約４９０ｎｍ超過、約５００ｎｍ超過、約５１０ｎｍ超過、約５２０ｎｍ超過、約５３０ｎｍ超過、約５４０ｎｍ超過、約５５０ｎｍ超過、約５６０ｎｍ超過、約５７０ｎｍ超過、約５８０ｎｍ超過、約５９０ｎｍ超過、約６００ｎｍ超過、約６１０ｎｍ超過、約６２０ｎｍ超過、約６３０ｎｍ超過、約６４０ｎｍ超過、約６５０ｎｍ超過、約６６０ｎｍ超過、約６７０ｎｍ超過、約６８０ｎｍ超過、約６９０ｎｍ超過、約７００ｎｍ超過、約７１０ｎｍ超過、約７２０ｎｍ超過、約７３０ｎｍ超過、約７４０ｎｍ超過、約７５０ｎｍ超過、約７６０ｎｍ超過、及び／又は、約７８０ｎｍ未満、約７７０ｎｍ未満、約７６０ｎｍ未満、約７５０ｎｍ未満、約７４０ｎｍ未満、約７３０ｎｍ未満、約７２０ｎｍ未満、約７１０ｎｍ未満、約７００ｎｍ未満、約６９０ｎｍ未満、約６８０ｎｍ未満、約６７０ｎｍ未満、約６６０ｎｍ未満、約６５０ｎｍ未満、約６４０ｎｍ未満、約６３０ｎｍ未満、約６２０ｎｍ未満、約６１０ｎｍ未満、約６００ｎｍ未満、約５９０ｎｍ未満、約５８０ｎｍ未満、約５７０ｎｍ未満、約５６０ｎｍ未満、約５５０ｎｍ未満、約５４０ｎｍ未満、約５３０ｎｍ未満、約５２０ｎｍ未満、約５１０ｎｍ未満、約５００ｎｍ未満、約４９０ｎｍ未満、約４８０ｎｍ未満、約４７０ｎｍ未満、約４６０ｎｍ未満、約４５０ｎｍ未満、約４４０ｎｍ未満、約４３０ｎｍ未満、約４２０ｎｍ未満、若しくは約４１０ｎｍ未満の波長を有する電磁エネルギーを放出してよい。
【００４０】
蛍光している間、検出剤は、第１の最大バンド（λＡ）を有する第１の波長範囲を有するエネルギー源からエネルギーを吸収し、第２の最大バンド（λＥ）を有する第２の波長範囲でエネルギーを放出できる。（λＥ）と（λＡ）との差（振動数又は波長で）を、放出−吸光（absorbence）シフトと呼ぶ。いくつかの実施形態では、検出剤の放出−吸光シフトを、約１０ｎｍ超過、約２０ｎｍ超過、約３０ｎｍ超過、約４０ｎｍ超過、約５０ｎｍ超過、約６０ｎｍ超過、約７０ｎｍ超過、約８０ｎｍ超過、約９０ｎｍ超過、約１００ｎｍ超過、約１２５ｎｍ超過、約１５０ｎｍ超過、約２００ｎｍ超過、約２５０ｎｍ超過、約３００ｎｍ超過、約３５０ｎｍ超過、約３７５ｎｍ超過、及び／又は約４００未満、約３７５ｎｍ未満、約３５０ｎｍ未満、約３００ｎｍ未満、約２５０ｎｍ未満、約２００ｎｍ未満、約１５０ｎｍ、若しくは約１００ｎｍ未満とすることができる。λＡが検出剤の励起極大と同一であるとき、放出−吸光シフトを検出剤のストークスシフトと同一とすることができる。
【００４１】
更に、いくつかの実施形態では、検出剤が、適用されたエネルギーを吸収し、ごくわずかなエネルギーを放出又は反射するように、検出剤を選択してよい。これにより、表示された部分が暗く見えるのに対し、他の口腔面がより明るくなることがある。これらの実施形態は、観察者に対し、視覚的な区別をも提供することができる。このような実施形態では、検出剤にエネルギーを適用するエネルギー源と、検出剤の吸光度を合わせることができる。したがって、表示の部分が適用されたエネルギーを吸収し、残りの口腔面が、適用されたエネルギーの大部分を反射するため、口腔面から反射される光は、表示の部分を視覚的に区別できる。
【００４２】
同様に、口腔面がより小さいエネルギーを反射する一方で、検出剤がエネルギーの大部分を反射する実施形態が企図される。これらの実施形態では、検出剤で表示される状態が、周囲の口腔面よりも明るく見えることができる。
【００４３】
口腔状態の視覚的表示を提供するため、いくつかの実施形態では、表示される状態から、反射され放出されるエネルギーと他の口腔面から反射され放出されるエネルギーとは、視覚的に区別できる。例えば、エネルギー源から適用されるエネルギーの波長が約４７０ｎｍであるいくつかの実施形態では、歯の表面部分からの反射エネルギー及び放出エネルギーは、約４７０ｎｍ、すなわち青色の場合がある。しかし検出剤は、波長約５５０ｎｍ、すなわち黄色のエネルギーを反射し、放出することができる。反射エネルギーと放出エネルギーとの間の最大波長差の絶対値を、反射−放出シフト（ＲＥＳ）と呼ぶ。
【数１】
2010508947.tif 000003
式中、λＯＣは、他の口腔面の反射及び／又は放出エネルギーの最大波長であり、λＤＡは、検出剤の反射及び／又は放出エネルギーの波長である。
【００４４】
一般には、他の口腔面の反射及び放出エネルギーの波長は、エネルギー源から口腔内に導入されるエネルギーの波長とほぼ同じであってよい。したがって、λＯＣは、前述のλＡと同一としてよい。同様に、検出剤の反射及び放出エネルギーの波長は、前述の検出剤の波長とほぼ同じであってよく、例えばλＤＡをλＥと同一としてよい。
【００４５】
ＲＥＳは、前述の放出−吸光シフトについて記載されたものと同様の値を有することができる。更に検出剤が、エネルギーを放出又は反射する実施形態又は前述のように検出剤が適用されたエネルギーのうちごくわずかを放出又は反射する実施形態にＲＥＳを適用できる。
【００４６】
更に、２つ以上のＲＥＳシフトが存在してもよい。例えば、口腔面とは異なる反射率と最大放出がある場合、２つ以上のＲＥＳシフトが存在する場合がある。
【００４７】
同一の適用されたエネルギー源の下において、口腔又は検出剤から反射及び／又は放出される波長の測定値だけではなく、歯の一部から反射／放出されるエネルギーを第１の色にできる一方で、検出剤から反射／放出されるエネルギーは第２の色である。第１の色は、第２の色と異なる。例えば第１の色を、第２の色よりもかなり明るく又はかなり暗くしてよい。別の例では、第１の色と第２の色との差として色のコントラストを強くし、例えば第１の色を青色とする一方で、第２の色を黄色としてよい。したがって、本発明は、ユーザー及び／又は観察者に対し、口腔状態とそれ以外の口腔との間に、視覚的コントラストもたらすことができる。
【００４８】
周辺光下では、口腔内の状態を視覚的に容易に確認できないが、口腔にエネルギー源から電磁エネルギーが適用されるときに、より視覚的に認識できるようになるように、口腔用組成物中の検出剤濃度を選択できる。エネルギー源から供給される電磁エネルギーを、周辺光に追加してもよく又は周辺光がないときに使用してもよいことに留意されたい。このように選択される特定の検出剤によって、検出剤濃度が一部決定される場合があり、より強度が高い光を吸収する又は放出する検出剤には、おそらくより低濃度が必要とされ、またその逆も考えられる。更に、表示される口腔状態、特定のキャリア（例えば口内洗浄剤、歯磨剤など）に組み込まれる検出剤の性能、及び表示される状態が歯垢である場合、検出剤の歯垢への付着能、拡散能、結合能、飽和能などによって、検出剤濃度が一部決定される場合がある。
【００４９】
いくつかの実施形態では、口腔用組成物中の検出剤濃度は、約０．００１重量％〜約５重量％の範囲、又はこの範囲内の任意の個々の濃度としてよい。いくつかの実施形態では、検出剤濃度を、約０．００１重量％超過、約０．００３重量％超過、約０．００５重量％超過、約０．００７重量％超過、約０．００９重量％超過、約０．０１重量％超過、約０．０２重量％超過、約０．０３重量％超過、約０．０４重量％超過、約０．０５重量％超過、約０．０６重量％超過、約０．０７重量％超過、約０．０８重量％超過、約０．０９重量％超過、約０．１重量％超過、約０．１６５重量％超過、約０．２重量％超過、約０．３重量％超過、約０．４重量％超過、約０．５重量％超過、約０．６重量％超過、約０．７重量％超過、約０．８重量％超過、約０．９重量％超過、約１重量％超過、約１．５重量％超過、約２重量％超過、約２．５重量％超過、約３重量％超過、約３．５重量％超過、約４重量％超過、約４．５重量％超過、及び／又は約５重量％未満、約４．５重量％未満、約４重量％未満、約３．５重量％未満、約３重量％未満、約２．５重量％未満、約２重量％未満、約１．５重量％未満、約１重量％未満、約０．９重量％未満、約０．８重量％未満、約０．７重量％未満、約０．６重量％未満、約０．５重量％未満、約０．４重量％未満、約０．３重量％未満、約０．２重量％未満、約０．１重量％未満、約０．０９重量％未満、約０．０８重量％未満、約０．０７重量％未満、約０．０６重量％未満、約０．０５重量％未満、約０．０４重量％未満、約０．０３重量％未満、約０．０２重量％未満、若しくは約０．０１重量％未満とすることができる。
【００５０】
キャリア
検出剤に加え、本発明の口腔ケア組成物は、処置される歯に検出剤を供給するキャリアを含んでよい。使用される特定のキャリアを、組成物が口腔内に導入される方法によって決定してもよい。例えばキャリアが練り歯磨き又は歯磨きゲルの場合、練り歯磨き、歯磨きゲルなどのキャリア物質には、例えばベネディクト（Benedict）による米国特許第３，９８８，４３３号で開示されるような、研磨材料、起泡剤、結合剤、保湿剤、着香剤、及び甘味剤などを包含してよい。二相性歯磨剤配合用のキャリア物質は、ルカコビッチ（Lukacovic）らによる米国特許第５，２１３，７９０号（１９９３年５月２３日発行）、同第５，１４５，６６６号（１９９２年９月８日発行）、同第５，２８１，４１０号（１９９４年１月２５日発行）、並びにシェファー（Schaeffer）による米国特許第４，８４９，２１３号及び同第４，５２８，１８０号に開示されている。
【００５１】
別の例として、本発明による口腔用組成物は、練り歯磨き及び歯磨き粉のような歯磨剤の形態としてよい。そのような歯磨剤のキャリア物質は、歯科用研磨剤（約６％〜約５０％）、界面活性剤（約０．０１％〜約１０％）、増粘剤（約０．０５％〜約５％）、保湿剤（約１０％〜約５５％）、着香剤（約０．０４％〜約２％）、甘味剤（約０．１％〜約３％）、及び水（約２％〜約４５％）の１つ以上を包含してよい。このような練り歯磨き又は歯磨きゲルはまた、抗カリエス剤（フッ化物イオンとして約０．０５％〜約０．３％）、抗結石剤（約０．１％〜約１３％）、及び以下で更に述べるようなその他の口腔で許容可能な添加剤を１つ以上含んでもよい。歯磨き粉はもちろん、実質的に全ての非液体の構成成分を含有する。
【００５２】
更に別の例として、本発明による口腔用組成物として、うがい薬、口内洗浄剤、及び口内スプレーを挙げてよい。そのようなうがい薬、口内洗浄剤、及び口内スプレーのキャリア物質は、水（約４５％〜約９５％）、エタノール（約０％〜約２５％）、保湿剤（約０％〜約５０％）、界面活性剤（約０．０１％〜約７％）、着香剤（約０．０４％〜約２％）、及び甘味剤（約０．１％〜約３％）の１つ以上を包含してよい。このようなうがい薬及び口内スプレーはまた、抗カリエス剤（フッ化物イオンとして約０．０５％〜約０．３％）、抗結石剤（約０．１％〜約３％）、及び以下で更に述べるようなその他口腔で許容可能な添加剤を、１つ以上含んでもよい。例えば、ベネディクト（Benedict）による米国特許第３，９８８，４３３号を参照されたい。
【００５３】
更に別の例として、本発明による口腔ケア組成物は、非研磨剤ゲル及び歯肉縁下ゲルの形態であってもよく、これは水性であっても又は非水性であってもよい。水性ゲルのキャリア物質は、水、増粘剤（約０．１％〜約２０％）、保湿剤（約０．０１％〜約５５％）、着香剤（約０．００１％〜約２％）、又は甘味剤（約０．１％〜約３％）を含んでよい。組成物は、抗カリエス剤（フッ化物イオンとして約０．００１％〜約０．３％）、抗結石剤（約０．００５％〜約１３％）、及び以下で更に述べるような、その他口腔で許容可能な添加剤を含んでよい。活性物質の歯周ポケット内又は歯周ポケットの周りへの送達のために使用される歯肉縁下用ゲルのためには、米国特許第５，１９８，２２０号及び同第５，２４２，９１０号（ともにダマニ（Damani）、それぞれ１９９３年３月３０日及び１９９３年９月７日発行）に開示されているような「歯肉縁下用ゲルキャリア」を選択してもよい。
【００５４】
更に別の例として、本発明による口腔用組成物として、薬用キャンディーを挙げてよい。薬用キャンディーキャリア物質は典型的に、キャンディーベースを含み、チューインガムキャリア物質は、例えば、米国特許第４，０８３，９５５号（グラベンシュテッター（Grabenstetter）ら）のようにガムベース、香味、及び甘味剤類を含む。サッシェ用キャリア物質は典型的に、サッシェバッグ、香味、及び甘味剤類を包含する。
【００５５】
更に別の例として、本発明による口腔用組成物はまた、歯科用溶液及び洗浄液の形態とすることもできる。このような歯科用溶液のキャリア物質は一般に、水（約９０％〜約９９％）、防腐剤（約０．０１％〜約０．５％）、増粘剤（０％〜約５％）、着香剤（約０．０４％〜約２％）、甘味剤（約０．１％〜約３％）、界面活性剤（０％〜約５％）、及び以下で更に述べるような、その他口腔で許容可能な添加剤のうちの１つ以上を含む。
【００５６】
本発明による口腔用組成物は、任意の好適なキャリア又はキャリア物質を含んでもよい。本発明による口腔ケア組成物に用いる好適なキャリアのいくつかの例は、米国特許第５，２８８，４８０号、同第５，２８８，４８０号、同第５，３４４，６４１号、同第４，８５５，１５５号、同第６，６９６，０４５号、同第５，９３９，０５２号、同第６，７４０，３１１号、米国特許出願公開第２００６／０１３４０１８号、同第２００６／０１３４０１８号、同第２００６／０１４１０３９号、同第２００６／０１４０８８３号、同第２００５／０１１２０７０号、同第２００４／０１２６３３４号、及び同第２００５／０１６９８５２号に記載されている。
【００５７】
ｐＨ
本発明の口腔ケア組成物は、約４．０〜約１１の範囲又はこの範囲内の任意の個々のｐＨ値を有してよい。多くの実施形態において、組成物のｐＨを、約４超過、約４．５超過、約５超過、約５．５超過、約６超過、約６．５超過、約７超過、約７．５超過、約８超過、約８．５超過、約９超過、約９．５超過、約１０超過、約１０．５超過、及び／又は約１１未満、約１０．５未満、約１０未満、約９．５未満、約９未満、約８．５未満、約８未満、約７．５未満、約７未満、約６．５未満、約６未満、約５．５未満、約５未満、若しくは約４．５未満とすることができる。歯磨剤組成物のｐＨは、例えば、水３部に対して練り歯磨き１部である、３：１の歯磨剤の水性スラリーから測定する。
【００５８】
ｐＨは、口腔ケア組成物内の検出剤の溶解度に影響を及ぼすことができる。更に、ｐＨは口腔ケア組成物内の検出剤の安定性にも影響を与える。
【００５９】
着色剤
本発明の口腔ケア組成物の特定の実施形態で用いられる検出剤を周辺光下で見るとき、口腔ケア組成物全体の色とは異なる色の光を放出するように選択してよい。検出剤は、組成物に色を付与してもよいし、付与しなくてもよい。検出剤が本発明の口腔ケア組成物に色を付与する場合、口腔ケア組成物に対し、全体的に異なる特定の色を付与する追加の着色剤を含んでよい。
【００６０】
口腔用組成物の着色剤（吸光度による測定）と検出剤の色（吸光度による測定）との間の波長差を組成シフトと呼ぶ。口腔用組成物の着色剤は、第１の最大バンド（吸光度による測定）を有する第１の波長を有し、検出剤の色は第２の最大バンドを有する第２の波長を有する。着色剤の第１の最大バンドと検出剤の第２の最大バンドとの間の差（振動数又は波長で）の絶対値を、組成シフト（ＣＳ）と呼ぶ。
【数２】
2010508947.tif 000004
式中、λＣは、口腔用組成物の着色剤の第１の最大バンドであり、λＤは、検出剤の第２の最大バンドである。
【００６１】
いくつかの実施形態では、λＤがλＣ超過の場合があり、一方他の実施形態では、λＣがλＤ超過の場合があることに留意されたい。例えば、４３０ｎｍに吸収極大を有する検出剤と、６３０ｎｍに吸収極大を有する着色剤を混合して製造することができ、検出剤濃度に依存して黄色がかった色又はオレンジがかった色というよりは、全体的に緑色の組成物をもたらすことができる。
【００６２】
いくつかの実施形態では、組成シフトを、約１０ｎｍ超過、約２５ｎｍ超過、約５０ｎｍ超過、約７５ｎｍ超過、約１００ｎｍ超過、約１２５ｎｍ超過、約１５０ｎｍ超過、約２００ｎｍ超過、約２５０ｎｍ超過、約３００ｎｍ超過、約３５０ｎｍ超過、約３７５ｎｍ超過、及び／又は約４００未満、約３７５ｎｍ未満、約３５０ｎｍ未満、約３００ｎｍ未満、約２５０ｎｍ未満、約２００ｎｍ未満、約１５０ｎｍ未満、又は約１２５ｎｍ未満、約１００ｎｍ未満、約５０ｎｍ未満、約２５ｎｍ未満、若しくは約１０ｎｍ未満とすることができる。組成シフトは、検出剤の吸収（absorbence）極大の左側又は右側で測定できる。
【００６３】
更に、口腔ケア組成物の全体的な色は、エネルギー源で活性化される際の検出剤の蛍光色と一致してもよいし、一致しなくてもよい。例えば、ピラニン含有歯磨剤（任意の追加的な着色剤を含まない）は黄色を呈することができ、同様に、青色照明下では、状態を表示する黄色に蛍光することができる。ただし、黄色の組成物色は、消費者に対して魅力的でない場合がある。よって、追加的な青色の着色剤を組成物に追加し、組成物の全体色を消費者が好むミント香味に対応させて緑色にすることができる。反対に、エネルギー源で活性化される際に青色の蛍光する検出剤は、全体色が青色を呈する組成物により適している場合がある。この場合、追加的な着色剤が必要な場合もあり、必要でない場合もある。口腔用組成物の色、及び／又は検出剤の色を増強する方法を以下に記載する。
【００６４】
口腔用組成物の特定の色を、前述した組成シフトにより変更できる。例えば、検出剤の吸収極大が約６５０ｎｍに分布される場合、約４３０ｎｍに分布される吸光度を有する追加的着色剤を口腔用組成物に追加し、口腔用組成物の組成シフトを調整することができるであろう。
【００６５】
少なくとも１つの追加的着色剤を口腔用組成物に追加する実施形態が企図される。このような実施形態では、追加的な組成シフトが存在する場合がある。例えば、第１の着色剤と第２の着色剤が、異なる光吸収度（吸光度による測定）をもたらす性質を有する場合、検出剤に対して第２の組成シフトが存在する場合がある。第２の組成シフトは、前述のとおりである。これに応じて、２つ以上の組成シフト及び／又は２つ以上の着色剤を有する実施形態が企図される。第２の組成シフトは、存在する場合、第１の組成シフトについて開示されたものと同様の範囲とすることができる。
【００６６】
このため、本発明の口腔ケア組成物は、任意の好適な着色剤を含んでよい。いくつかの例として、Ｄ＆Ｃ青色１号、Ｄ＆Ｃ青色２号、Ｄ＆Ｃ緑色３号、Ｄ＆Ｃ赤色３号、Ｄ＆Ｃ赤色Ｎｏ．６号、Ｄ＆Ｃ赤色７号、Ｄ＆Ｃ赤色２１号、Ｄ＆Ｃ赤色２２号、Ｄ＆Ｃ赤色２７号、Ｄ＆Ｃ赤色２８号、Ｄ＆Ｃ赤色３３号、Ｄ＆Ｃ赤色４０号、Ｄ＆Ｃ黄色５号、Ｄ＆Ｃ黄色６号、Ｄ＆Ｃ黄色１０号、これらの組み合わせ、又は規制当局、例えば米国食品医薬品局から医療用及び化粧品用として認められているその他の任意の染料が挙げられる。いくつかの実施形態では、着色剤が非蛍光であってよい。別の例として、ＦＤ＆Ｃ着色剤及びその他Ｄ＆Ｃ着色剤を包含してもよい。
【００６７】
いくつかの実施形態では、着色剤のうち少なくとも１種に、前述のフルオロフォア（「第２検出剤」）を含んでよい。この例では第２検出剤は、前述の第１検出剤により放出される光の色と実質的に異なる色である、可視スペクトル内の光を呈してよい。このように、システムが第２エネルギー源を含み、そのエネルギー源が第２検出剤から別個の応答を誘発するエネルギーを放出する実施形態が企図される。例えば第２エネルギー源は、第２検出剤に対し、第１検出剤の発光波長超過の波長又は発光波長未満の波長を有する色を放出させることができる。
【００６８】
更に、単一のエネルギー源又は複数のエネルギー源を利用して別々の状態を表示するために、第１検出剤と第２検出剤を使用できる実施形態が企図される。例えば、第１検出剤を歯垢の表示に用い、一方第２検出剤を虫歯の表示に用いることができる。いくつかの実施形態では、電磁エネルギーが第１及び第２検出剤に適用されるとき、第１検出剤が第１の反応を放出し、第２検出剤が第２の反応を放出することができる。
【００６９】
第１の反応及び第２の反応が同時に誘発され及び／又は同時に見えると見込まれる場合、第１の反応の色の波長と第２の反応の色の波長とを異なるものにできる。例えば、第１の反応の波長と第２の反応の波長との間の差を、約１０ｎｍ〜約４００ｎｍの範囲又はその範囲内の任意の個々の波長としてよい。第１の反応の第１の最大バンドと第２の反応の第２の最大バンドとの間の差（波長で）の絶対値を、発光シフト（ＥＳ）と呼ぶ。
【数３】
2010508947.tif 000005
式中、λＦＲは、第１の反応の第１の最大バンドで、前述のλＥと同一であり、λＳＲは、第２の反応の第２の最大バンドである。
【００７０】
いくつかの実施形態では、ＥＳを、約１０ｎｍ超過、約２０ｎｍ超過、約３０ｎｍ超過、約４０ｎｍ超過、約５０ｎｍ超過、約６０ｎｍ超過、約７０ｎｍ超過、約８０ｎｍ超過、約９０ｎｍ超過、約１００ｎｍ超過、約１１０ｎｍ超過、約１２０ｎｍ超過、約１３０ｎｍ超過、約１４０ｎｍ超過、約１５０ｎｍ超過、約１６０ｎｍ超過、約１７０ｎｍ超過、約１８０ｎｍ超過、約１９０ｎｍ超過、約２００ｎｍ超過、約２１０ｎｍ超過、約２２０ｎｍ超過、約２３０ｎｍ超過、約２４０ｎｍ超過、約２５０ｎｍ超過、約２６０ｎｍ超過、約２７０ｎｍ超過、約２８０ｎｍ超過、約２９０ｎｍ超過、約３００ｎｍ超過、約３１０ｎｍ超過、約３２０ｎｍ超過、約３３０ｎｍ超過、約３４０ｎｍ超過、約３５０ｎｍ超過、約３６０ｎｍ超過、約３７０ｎｍ超過、約３８０ｎｍ超過、約３９０ｎｍ超過、及び／又は約４００ｎｍ未満、約３９０ｎｍ未満、約３８０ｎｍ未満、約３７０ｎｍ未満、約３６０ｎｍ未満、約３５０ｎｍ未満、約３４０ｎｍ未満、約３３０ｎｍ未満、約３２０ｎｍ未満、約３１０ｎｍ未満、約３００ｎｍ未満、約２９０ｎｍ未満、約２８０ｎｍ未満、約２７０ｎｍ未満、約２６０ｎｍ未満、約２５０ｎｍ未満、約２４０ｎｍ未満、約２３０ｎｍ未満、約２２０ｎｍ未満、約２１０ｎｍ未満、約２００ｎｍ未満、約１９０ｎｍ未満、約１８０ｎｍ未満、約１７０ｎｍ未満、約１６０ｎｍ未満、約１５０ｎｍ未満、約１４０ｎｍ未満、約１３０ｎｍ未満、約１２０ｎｍ未満、約１１０ｎｍ未満、約１００ｎｍ未満、約９０ｎｍ未満、約８０ｎｍ未満、約７０ｎｍ未満、約６０ｎｍ未満、約５０ｎｍ未満、約４０ｎｍ未満、約３０ｎｍ未満、若しくは約２０ｎｍ未満としてよい。
【００７１】
更に前述のように、第２エネルギー源を用いて第２検出剤を励起してよい。このような実施形態では、第１のエネルギー源を用いて第１の反応を誘発し、引き続き、第２エネルギー源を用いて第２の反応を誘発してよくまた逆も同様である。いくつかの実施形態では、ＥＳを約ゼロに等しくしてもよい。いくつかの実施形態では、ＥＳを前述と同様にしてもよい。
【００７２】
本発明の口腔ケア組成物の特定の実施形態に含まれる着色剤量は、大きく異なってもよく、並びに用いられる特定の着色剤に依存してよい。いくつかの実施形態では、口腔ケア組成物において、検出剤の蛍光色とは容易に区別可能な特有の色を生じる量を十分量としてよい。
【００７３】
これは通常、本発明の口腔ケア組成物は、約０．００１重量％〜約５重量％又はこの範囲内の任意の個々の濃度の追加的着色剤を含有できることを意味する。いくつかの実施形態では、追加的着色剤の濃度を、約０．００１重量％超過、約０．００５重量％超過、約０．００７重量％超過、約０．００９重量％超過、約０．０１重量％超過、約０．０２重量％超過、約０．０３重量％超過、約０．０４重量％超過、約０．０５重量％超過、約０．０６重量％超過、約０．０７重量％超過、約０．０８重量％超過、約０．０９重量％超過、約０．１重量％超過、約０．２重量％超過、約０．３重量％超過、約０．４重量％超過、約０．５重量％超過、約０．６重量％超過、約０．７重量％超過、約０．８重量％超過、約０．９重量％超過、約１重量％超過、約１．５重量％超過、約２重量％超過、約２．５重量％超過、約３重量％超過、約３．５重量％超過、約４重量％超過、約４．５重量％超過、及び／又は約５重量％未満、約４．５重量％未満、約４重量％未満、約３．５重量％未満、約３重量％未満、約２．５重量％未満、約２重量％未満、約１．５重量％未満、約１重量％未満、約０．９重量％未満、約０．８重量％未満、約０．７重量％未満、約０．６重量％未満、約０．５重量％未満、約０．４重量％未満、約０．３重量％未満、約０．２重量％未満、約０．１重量％未満、約０．０９重量％未満、約０．０８重量％未満、約０．０７重量％未満、約０．０６重量％未満、約０．０５重量％未満、約０．０４重量％未満、約０．０３重量％未満、約０．０２重量％未満、若しくは約０．０１重量％未満とすることができる。
【００７４】
着色剤又は複数の着色剤を口腔用組成物に追加し、上で述べたように、口腔用組成物の全体色を変更してもよい。例えば、検出剤が周辺光下で黄色であるとき、着色剤を添加し全体色が緑色となる口腔用組成物を製造してもよい。口腔用組成物に歯磨剤を含む場合、歯磨剤の色を増強又は変更する様々な方法が存在する。
【００７５】
いくつかの実施形態では、検出剤は、ストライプ状で歯磨剤ディスペンサー内に存在してよい。当該技術分野において既知の任意の好適な方法を利用し、本発明の歯磨剤にストライプ及び／又は層を付与してもよい。そのような方法の例は、米国特許出願第６０／４７３，６９２号（２００３年７月１６日出願、表題「視覚的に区別可能な多液相組成物（Visually distinctive multiple liquid phase compositions）」）に開示されている。これらの実施形態では、例えば検出剤と残りの歯磨剤の相との間が分離していない状態で、歯磨剤の内側にストライプが存在する。検出剤の色に関わらず、ディスペンサー内において又は口腔ケア装置上に分与された状態でのストライプ模様は、検出剤の色をより消費者に好まれるようにすることができる。
【００７６】
あるいは、検出剤と残りの歯磨剤がディスペンサー内に入れられているが、物理的に分離されている実施形態も企図される。これにより、検出剤と残りの歯磨剤は、口腔ケア装置上にストライプ模様で分与することができる。
【００７７】
更に、検出剤と残りの歯磨剤を同心的に分与する実施形態が企図される。例えば、検出剤を残りの歯磨剤からなるシース内に分与する場合もある。この方法では、分与されている際、検出剤は視覚的に確認できない。同心の実施形態では、検出剤と起こりの歯磨剤を、ディスペンサー内で物理的に分離してよい。あるいはいくつかの実施形態では、検出剤と残りの歯磨剤との間を物理的に分離しない場合がある。
【００７８】
検出剤と残りの歯磨剤が物理的に分離されているかいないかに関わらず、十分量の検出剤が分与されるように、歯磨剤をパッケージ化すべきである。例えば、検出剤と残りの歯磨剤の容量パーセント比は、約１：９９〜約９９：１又はこの範囲内の任意の値とすることができる。いくつかの実施形態では、検出剤と残りの歯磨剤の容量パーセント比は、約１：９９超過、約１：５０超過、約１：２５超過、約１：２０超過、約１：１５超過、約１：１０超過、約１：７超過、約１：５超過、約１：３超過、約１：２超過、約１：１超過、約２：１超過、約３：１超過、約４：１超過、約５：１超過、約６：１超過、約７：１超過、約８：１超過、約９：１超過、約１０：１超過、約２０：１超過、約３０：１超過、約４０：１超過、約５０：１超過、約６０：１超過、約７０：１超過、約８０：１超過、約９０：１超過、及び／又は約９９：１未満、約９０：１未満、約８０：１未満、約７０：１未満、約６０：１未満、約５０：１未満、約４０：１未満、約３０：１未満、約２０：１未満、約１０：１未満、約９：１未満、約８：１未満、約７：１未満、約６：１未満、約５：１未満、約４：１未満、約３：１未満、約２：１未満、約１：１未満、約１：２未満、約１：３未満、約１：５未満、約１：７未満、約１：１０未満、約１：１５未満、約１：２０未満、約１：２５未満、若しくは約１：５０未満とすることができる。
【００７９】
更に、各相にいくつかの検出剤を含む実施形態が企図される。例えば、検出剤の第１の検出剤相が検出剤の大きな重量比率を含み、一方、キャリアの第２の相が、検出剤のより小さな重量比率を含むであろう。それに応じて、検出剤が緑色であるいくつかの実施形態では、第１の相を深緑色とし、一方、第２の相を薄緑色としてもよい。あるいは、検出剤が青色の場合、第１の相を暗赤色とし、第２の相を明赤色又はピンク色としてもよい。これらの実施形態は、ディスペンサー内で相が物理的に分離していても又はしていなくても適用できる。
【００８０】
更に、歯磨剤が検出剤及び着色剤を含む実施形態が企図される。これらの実施形態では、検出剤を第１の相、キャリアを第２の相、着色剤を第３の相とすることができる。いくつかの実施形態では、第１の相及び第２の相は、前述のように構成されてよい。しかし第３の相を、第１の相及び／又は第２の相の周囲にある同心のシースとして、２つの相の間に置いてもよい。更に検出剤及び／又は着色剤を、第１の相、第２の相、及び／又は第３の相に添加し、これらの相内である程度の色調変化をもたらす実施形態が企図される。同様に、歯磨剤が複数の検出剤及び／又は複数の着色剤を含む実施形態が企図される。
【００８１】
いくつかの実施形態では、検出剤及び／又は着色剤をポリマーシェル内にマイクロカプセル封入できる。したがって、ブラッシングやゆすぎの間に口腔用組成物のポリマーシェルを破裂させ、それにより検出剤及び／又は着色剤を口腔に放出することができる。例えば本発明による口腔用組成物は、検出剤を含有する複数のマイクロカプセルを含んでもよい。
【００８２】
ウォール又はシェルカプセルと称される、カプセルの１つのタイプは、検出剤を中に含有した、概して球状中空シェルの物質、典型的にはポリマー物質を含む。シェルカプセルを、コアセルベーション、界面重合、及び重縮合などシェルカプセル製造用の当業者が周知の様々な従来の方法を用いて、調製してもよい。
【００８３】
コアセルベーションのプロセスは通常、コロイド状物質を材料の液滴面上へ沈殿させることによる、一般に非水溶性物質のカプセル化を含む。コアセルベーションは、例えばゼラチンなど１種のコロイドを用いる単純法、ゼラチンとアラビアゴム、又はゼラチンとカルボキシメチルセルロースなどの反対に荷電した２種あるいは場合により、更なるコロイドを慎重に制御したｐＨ、温度、及び濃度条件下で用いる複合法であってもよい。コアセルベーション技術は、例えば米国特許第２，８００，４５８号、同第２，８００，４５７号、英国特許第９２９，４０３号、欧州特許第３８５，５３４号、及び同第３７６，３８５号に記載される。しかし、材料及びプロセス工程に関して、種々変更が可能であると認識されている。
【００８４】
界面重合は、油相中に存在する少なくとも１種の油溶性壁形成材料と水相中に存在する少なくとも１種の水溶性壁形成材料との反応により、カプセル化シェルを製造する。２種の壁形成材料間の重合反応が起こり、油相及び水相の境界面で共有結合を形成し、結果としてカプセル壁を形成する。本法により製造されるシェルカプセルの例は、ポリウレタンカプセルである。
【００８５】
重縮合は、所望のサイズのカプセルを製造するための適当な撹拌条件下で、非水溶性材料（非限定例は香料である）の、高分子材料の前縮合体水溶液中への分散液又はエマルションを形成する工程と、及び酸触媒作用により前縮合体の縮合を引き起こす反応条件を調整することにより、結果として縮合体が溶液から分離され、分散した非水溶性材料の充填物を取り巻き、凝集性フィルム及び所望のマイクロカプセルを製造する工程と、を含む。重縮合法は、例えば米国特許第３，５１６，９４１号、同第４，５２０，１４２号、同第４，５２８，２２６号、同第４，６８１，８０６号、同第４，１４５，１８４号、英国特許第２，０７３，１３２号、及びＰＣＴ国際公開第９９／１７８７１号に記載される。しかし、材料及びプロセス工程に関して、種々変更が可能であると認識されている。
【００８６】
マイクロカプセルのシェルの製造に好適な材料の非限定例として、尿素−ホルムアルデヒド、メラミン−ホルムアルデヒド、フェノール−ホルムアルデヒド、ゼラチン、アラビアゴム、ポリウレタン、ポリアミド、メチルセルロース及びその他セルロース誘導体類、酪酸ブチラート、酢酸セルロース、及び硝酸セルロースを含むセルロースエステル類、エチルセルロースなどのセルロース（cellulse）エーテル類、ポリメタクリレート類、ポリメタクリル酸、ポリアクリル酸、ポリアクリレート類、ポリアクリルアミド（polyvacrylamide）、ポリアクリルデキストラン、ポリアルキルシアノアクリレート、酢酸セルロース、酢酸酪酸セルロース、硝酸セルロース、ナイロン（nylong）６、ポリテレフタルアミド（polyteraphthalamide）及びその他のポリアミド類、ポリビニルアルコール、ポリビニルピロリドン（polyvinylpyrollidone）、セラック、ポリカプロラクトン類、ポリジメチルシロキサン類、及びその他シロキサン類（siloxanets）、脂肪族及び芳香族ポリエステル類、ポリエチレンオキシド（polyethylene oxid）、ポリエチレンビニルアセテート、ポリグリコール酸、ポリ乳酸、及びコポリマー類、ポリ（メチルビニルエーテル／無水マレイン酸）、ポリスチレン、ポリビニルアセテートフタレート、デンプン、ゾルゲル類、液晶に用いられるマイクロカプセル封入材料、サーモクロミックロイコ染料に用いられるマイクロカプセル封入材料、フォトクロミック染料に用いられるマイクロカプセル封入材料、パラフィン、蜜蝋、カルナバワックスなどの低融解及び高融解ワックス類などが挙げられる。マイクロカプセルの製造に適した材料のうち特に好適な例の１つは、インターナショナルスペシャリティプロダクツ社（International Specialty Products）（ニュージャージー州ウェーン（Wayne））から市販されるカバマックス（CAVAMAX）（登録商標）などのシクロデキストリン類である。その他の封入技術は、ベニータ（Benita）及びサイモン（Simon）編、「マイクロカプセル封入：方法及び工業用応用（MICROENCAPSULATION: Methods and Industrial Applications）」（マーセルデッカー社（Marcel Dekker, Inc.）、１９９６年）に開示されている。
【００８７】
マイクロカプセル用材料の多くを透明又は不透明としてよい。例えば、マイクロカプセル材料がゼラチンの場合、マイクロカプセルを透明又は不透明としてよい。ゼラチン封入は、ブラッシング及び／又はゆすぎの間に口腔内で口腔用組成物を溶解又は破裂させ、それにより、検出剤及び／又は着色剤を、口腔内の組織、表面などに放出することができる。
【００８８】
本明細書で有用なシェルカプセルを形成するのに好ましい１つの方法は、重縮合であり、これは一般にアミノプラストカプセル体を生成するために使用してよい。アミノプラスト樹脂類は、１種類以上のアミン類と１種類以上のアルデヒド類、典型的にはホルムアルデヒドとの反応物である。好適なアミン類の非限定的な例として、尿素、チオ尿素、メラミン及びその誘導体、ベンゾグアナミン及びアセトグアナミン、並びにアミン類の組み合わせが挙げられる。好適な架橋剤（例えば、トルエンジイソシアネート、ジビニルベンゼン、ジアクリル酸ブタンジオールなど）も用いることができ、先行技術で記載される様に、二次壁ポリマーも、例えば無水物及びそれらの誘導体、特に、ＰＣＴ国際公開特許ＷＯ  ０２／０７４４３０号に開示される無水マレイン酸のポリマー及びコポリマーを、必要に応じて用いることができる。
【００８９】
好ましくは、シェルカプセルはアミノプラストカプセルであり、より好ましくは、メラミン単独又はその他好適なアミン類、架橋剤類、及び二次ポリマーと混合されたものに基づく。検出剤及び／又は着色剤をマイクロカプセル内に、液体又は乾燥体で封入してもよい。粒子及びカプセルの直径は、約１０ナノメートル〜約１０００ミクロン、約５０ナノメートル〜約１００ミクロン、又は約１ミクロン〜約６０ミクロンと可変である。粒径分布を、狭く、広く、又は多峰性にすることができる。
【００９０】
フッ化物供給源
水溶性フッ化物化合物を、組成物中にフッ化物イオン濃度をもたらすのに十分な量で、及び／又は約０．００２５重量％〜約５．０重量％、若しくはこの範囲内の任意の個々の濃度で用いられるとき、歯磨剤及び他の口腔用組成物中に存在させることは一般的である。いくつかの実施形態では、フッ化物を約０．００５重量％〜約２重量％で存在させ、抗カリエス効果をもたらすことができる。広範なフッ化物イオン生成物質を、本組成物中の可溶性フッ化物の供給源として使用することができる。好適なフッ化物イオン生成物質のいくつかの例が、米国特許第３，５３５，４２１号（ブライナー（Briner）ら、１９７０年１０月２０日発行）及び同第３，６７８，１５４号（ウィダー（Widder）ら、１９７２年７月１８日発行）に記載される。フッ化物イオン源のいくつかの例としては、フッ化第一スズ、フッ化ナトリウム、フッ化カリウム、モノフルオロリン酸ナトリウム、フッ化インジウム及び他の多くのものが挙げられる。いくつかの特定の実施形態では、フッ化第一スズ及び／又はフッ化ナトリウム、並びにこれらの混合物を使用してもよい。
【００９１】
染み緩和剤
いくつかの実施形態では、本発明の口腔ケア組成物は染み緩和剤を含んでよい。染み緩和剤のいくつかの好適例として、ヘキサメタリン酸（hexametophosphate）、フィチン酸、ポリホスフェート、ピロホスフェート、又はこれらの混合物が挙げられる。染み緩和剤は、フッ化第一スズを含む口腔用組成物で有益である場合がある。
【００９２】
歯の白色化活性物質
歯の白色化活性物質も、本発明の口腔ケア組成物中に含まれてよい。白色化に好適な活性物質には、過酸化物、亜塩素酸金属塩、過ホウ酸塩、過炭酸塩、過オキソ酸、過硫酸塩、及びこれらの組み合わせが挙げられる。適した過酸化化合物のいくつかの例としては、過酸化水素、過酸化尿素、過酸化カルシウム、及びこれらの混合物が挙げられる。適切な亜塩素酸金属のいくつかの例としては、亜塩素酸カルシウム、亜塩素酸バリウム、亜塩素酸マグネシウム、亜塩素酸リチウム、亜塩素酸ナトリウム、及び亜塩素酸カリウムが挙げられる。好ましい亜塩素酸塩は、亜塩素酸ナトリウムである。追加的な白化活性物質は、次亜塩素酸塩及び二酸化塩素であってもよい。好ましい過炭酸塩は、過炭酸ナトリウムである。他の好適な白色化剤の例として、過硫酸カリウム、過硫酸アンモニウム、過硫酸ナトリウム及び過硫酸リチウム、並びに過ホウ酸塩―及び四水和物、及びピロリン酸ナトリウム過酸化水和物（peroxyhydrate）が挙げられる。
【００９３】
抗結石剤
本発明の口腔ケア組成物は所望により、ピロホスフェートイオン源としてのピロホスフェート塩のような、追加の抗結石剤を包含してよい。本発明の組成物に有用なピロリン酸塩のいくつかの例として、ピロリン酸ジアルカリ金属塩、ピロリン酸テトラアルカリ金属塩、及びこれらの混合物が挙げられる。その他の好適なピロホスフェート塩の例として、非水和型並びに水和型の、ピロリン酸二水素二ナトリウム（Ｎａ２Ｈ２Ｐ２Ｏ７）、ピロリン酸四ナトリウム（Ｎａ４Ｐ２Ｏ７）、及びピロリン酸四カリウム（Ｋ４Ｐ２Ｏ７）が挙げられる。本発明の組成物では、ピロホスフェート塩は、主に溶解した形態、主に溶解していない形態、又は溶解した形態と溶解していない形態のピロホスフェートの混合物、の３つの形態のうちの１つの形態で存在し得る。
【００９４】
主に溶解したピロホスフェートを含む組成物とは、少なくとも１つのピロホスフェートイオン源が、少なくとも約１．０％の遊離ピロホスフェートイオンを提供するのに十分な量である組成物を指す。遊離ピロホスフェートイオンの量は、約１％〜約１５％、１つの実施形態においては約１．５％〜約１０％、及び別の実施形態では約２％〜約６％であってよい。遊離ピロホスフェートイオンは、組成物のｐＨに依存して多様なプロトン化状態で存在し得る。
【００９５】
主に溶解していないピロホスフェート塩を含む組成物とは、組成物中に溶解している約２０％以下の合計ピロホスフェート塩、好ましくは組成物中に溶解している約１０％未満の合計ピロホスフェートを含有する組成物を指す。ピロリン酸四ナトリウム塩は、これらの組成物中の好適なピロホスフェート塩である。ピロリン酸四ナトリウムは、無水塩型若しくは十水和物型、又は歯磨剤組成物中において固形で安定な他の任意の種であってよい。塩はその固体粒子状形態であり、その結晶性及び／又は非晶性状態であってよく、塩の粒径は、好ましくは、感覚的に許容可能であり、使用中容易に溶解するのに十分に小さい。これらの組成物の製造に有用なピロホスフェート塩の量は、歯石抑制に有効な任意の量であり、一般に、歯磨剤組成物の約１．５重量％〜約１５重量％、好ましくは約２重量％〜約１０重量％、最も好ましくは約３重量％〜約８重量％である。
【００９６】
組成物はまた、溶解したピロホスフェート塩と溶解していないピロホスフェート塩との混合物を含んでもよい。前述のピロホスフェート塩のいずれを用いてもよい。ピロリン酸塩は「カーク・オスマー（Kirk-Othmer）の工業化学百科事典」、第３版、第１７巻、ワイリーインターサイエンス・パブリッシャーズ（Wiley-Interscience Publishers）、１９８２年）に、より詳細に記載されている。
【００９７】
ピロホスフェート塩の代わり又はピロホスフェート塩と組み合わせて用いられる任意の剤としては、例えば合成陰イオン性ポリマーとして既知の物質などが挙げられ、それには例えば米国特許第４，６２７，９７７号（ガファル（Gaffar）ら）に記載されている、ポリアクリレート及び無水マレイン酸又はマレイン酸とメチルビニルエーテル（例えば、ガントレッツ（Gantrez））のコポリマー、並びに例えばポリアミノプロパンスルホン酸（ＡＭＰＳ）、ポリリン酸塩（例えば、トリポリリン酸塩及びヘキサメタリン酸塩）、ジホスホネート（例えば、ＥＨＤＰ；ＡＨＰ）、ポリペプチド（ポリアスパラギン酸及びポリグルタミン酸など）、及びこれらの混合物が挙げられる。
【００９８】
ホスホネートコポリマーのいくつかの例として、米国特許第５，０１１，９１３号（ベネディクト（Benedict）ら）におけるジホスホネート誘導体化ポリマー、例えばジホスホネート変性ポリアクリル酸が挙げられる。その他の好適なホスホネート含有ポリマーの例は、米国特許第５，９８０，７７６号（ザキカニ（Zakikhani）ら）である。
【００９９】
ポリホスフェートもまた本組成物中に含まれてもよい。ポリホスフェートは一般に、いくつかの環状誘導体が存在してもよいが、本質的には直鎖構造に配置される２以上のホスフェート基からなるとして理解されている。理論的にはポリホスフェートであるピロホスフェート及びトリポリホスフェートに加えて、また望ましいのは平均で約４以上のホスフェート基を有するポリホスフェート、すなわち、中でもテトラポリホスフェート及びヘキサメタホスフェートである。テトラポリホスフェートより大きいポリホスフェートは、通常は非晶質のガラス状物質として存在し、直鎖「ガラス状」ポリホスフェートは以下の式を有する。
ＸＯ（ＸＰＯ３）ｎＸ
式中、Ｘはナトリウム又はカリウムであり、ｎの平均は約６〜約１２５である。好適なポリホスフェートの例はＦＭＣ社（FMC Corporation）により製造されており、ソダホス（Sodaphos）（ｎ≒６）、ヘキサホス（Hexaphos）（ｎ≒１３）、及びガラスＨ（Glass H）（ｎ≒２１）として商業的に既知である。これらのポリホスフェートは単独で又は組み合わせて用いられてもよい。
【０１００】
研磨剤
本発明の口腔ケア組成物において有用な歯科用研磨剤には、多くの様々な物質が包含される。選択される物質は、関心組成物中で混和性があり、象牙質を過度に削らないものでなければならない。好適な研磨剤のいくつかの例として、ゲル及び沈殿物を包含するシリカ、不溶性ポリメタリン酸ナトリウム、水和アルミナ、炭酸カルシウム、オルトリン酸二カルシウム二水和物、ピロリン酸カルシウム、リン酸三カルシウム、ポリメタリン酸カルシウム、及び尿素とホルムアルデヒドとの粒子状縮合生成物のような樹脂性研磨剤物質が挙げられる。
【０１０１】
本組成物に用いられる別の部類の研磨剤は、米国特許第３，０７０，５１０号（クーリー（Cooley）及びグレーベンシュテッター（Grabenstetter）、１９６２年１２月２５日発行）に記載されている粒子状熱硬化性重合樹脂である。好適な樹脂のいくつかの例として、メラミン、フェノール樹脂、尿素、メラミン−尿素、メラミン−ホルムアルデヒド、尿素−ホルムアルデヒド、メラミン−尿素−ホルムアルデヒド、架橋エポキシド、及び架橋ポリエステルが挙げられる。
【０１０２】
多様な種類のシリカ歯科用研磨剤は、歯のエナメル質又は象牙質を過度に研磨せずに、並はずれた歯の洗浄及び艶出性能という独特の利益をもたらす。他の研磨剤と同様に、本明細書のシリカ砥粒研磨物質は、約０．１ミクロン〜約３０ミクロン、好ましくは約５ミクロン〜約１５ミクロンの範囲の平均粒径を有してもよい。研磨剤は、沈降シリカ又はシリカキセロゲルのようなシリカゲルであることができ、米国特許第３，５３８，２３０号（ペイダー（Pader）ら、１９７０年３月２日発行）及び同第３，８６２，３０７号（ディギュリオ（DiGiulio）、１９７５年１月２１日発行）に記載されている。例えば、商標名「シロイド（Syloid）」としてＷ．Ｒ．グレース・アンド・カンパニー、デイビソン・ケミカル・ディビジョン（W.R. Grace & Company Davison Chemical Division）から市販されているシリカキセロゲル及びＪ．Ｍ．フーバー社（J. M. Huber Corporation）から商標名ゼオデント（Zeodent）（登録商標）で市販されるもの、特に、ゼオデント（Zeodent）（登録商標）１１９、ゼオデント（Zeodent）（登録商標）１１８、ゼオデント（Zeodent）（登録商標）１０９、及びゼオデント（Zeodent）（登録商標）１２９という名称の沈殿シリカ物質が挙げられる。本発明の練り歯磨きに有用なシリカの歯の研磨剤の種類については、ウェイソン（Wason）の米国特許第４，３４０，５８３号（１９８２年７月２９日発行）、並びに本発明の譲受人にともに譲渡された米国特許第５，６０３，９２０号（１９９７年２月１８日発行）、同第５，５８９，１６０号（１９９６年１２月３１日発行）、同第５，６５８，５５３号（１９９７年８月１９日発行）、同第５，６５１，９５８号（１９９７年７月２９日発行）、及び同第６，７４０，３１１号（２００４年５月２５日発行）に記載されている。
【０１０３】
研磨剤の混合物は、上に列挙された様々な等級のゼオデント（Zeodent）（登録商標）シリカ研磨剤の混合物のように、用いることができる。本発明の歯磨剤組成物中の研磨剤の総量を、約１重量％〜約７５重量％の範囲又はこの範囲内の任意の重量パーセントとすることができる。練り歯磨きは、組成物の約１０重量％〜約５０重量％の研磨剤を含有することができる。本発明の歯科用溶液、口腔スプレー、うがい薬、及び非研磨剤ゲル組成物は、典型的には、少量の研磨剤しか含有しないか又は研磨剤を全く含有しない。
【０１０４】
着香剤及び甘味剤
着香剤を本発明の口腔ケア組成物に添加し、口腔用組成物のユーザーに望まれる香味をつけることもできる。いくつかの好適な香味の例として、薬草及び／又は柑橘香味が挙げられる。このような薬草及び／又は柑橘香味をつける着香剤には、これらの香味の精油又は抽出物を含んでもよい。例えば、桂皮香味をつけるために、着香剤に桂皮油を含んでもよい。薬草香味のいくつかの好適例としては、例えば、桂皮アルデヒド、メチルシンナメート、ケイ皮酸などの着香剤を含む桂皮、例えば、チモール、フェノールなどの着香剤を含むタイム、例えば、ユーカリプトールなどの着香剤を含むユーカリ油、例えば、ｂ−ミルセン、ピペリトン、ピペリンなどの着香剤を含む黒コショウ、例えば、ｂ−ジンゲルベリン（zingerberine）、シトロネラールなどの着香剤を含むショウガ、例えばｌ−メントール、メントン、メンチルアセテート、メントフラン、ミントラクトン、ビリジフローラル（viridifloral）、ゲルマクレンＤなどの着香剤を含むペパーミント、例えば、ｌ−メントール、メントンなどの着香剤を含むアルベンシス、例えば、ｌ−カルボン、ｌ−リモネン、ｌ−カルビルアセテートなどの着香剤を含むスペアミント、例えば、サリチル酸メチルなどの着香剤を含む冬緑油、例えば、トランス−アネトールなどの着香剤を含むアニス、例えば、オイゲノール、ミルセン、α−テルピネンなどの着香剤を含むオールスパイス、例えば、桂皮アルデヒドなどの着香剤を含むカッシア、例えば、オイゲノールなどの着香剤を含むクローブの芽、例えば、リナロール、ゲラニオール、サビネンなどの着香剤を含むコリアンダー、例えば、リナリルアセテート（linaly acetate）、ピネンなどの着香剤を含むベルガモットが挙げられる。柑橘香味のいくつかの好適例として、例えば、シトラール、デカナール、ｄ−リモネン、リナリルアセテートなどの着香剤を含むレモン、例えば、オクタナール、ノナナール、ｄ−リモネン、エチルブチラート、アセトアルデヒドなどの着香剤を含むオレンジ、例えばヌートカトン（nookatone）などの着香剤を含むグレープフルーツ、例えば、α−テルピネオール、ヘキサナール、ゲラニルアセテートなどの着香剤を含むライム、及び、例えばジメチルアントラニレート（dimethyl anthranylate）、チモー
ル、ｄ−リモネンなどの着香剤を含むタンジェリンを挙げてよい。
【０１０５】
その他の好適な香味の例として、果実、乳製品、及び／又はバニラで見出されるものが挙げられる。このような果実、乳製品、及び／又はバニラ香味をつける着香剤には、これら香味の天然抽出物又はこれらの合成類縁体を含んでもよい。果実香味のいくつかの好適例として、例えば、イソアミルアセテート、ジアセチル、２−ヘプタノンなどの着香剤を含むバナナ、例えば、エチル−２−メチルブチラート、１−ブタノール、ダマセノン、トランス−２−ヘキサナールなどの着香剤を含むリンゴ、例えば、シス−３ヘキセニルアセテート、２，６−ジメチルヘプテナール、メチル３−ノネノエートなどの着香剤を含むメロン、例えば、γ−デカラクトン（gama decalactone）、δ−ウンデカラクトン、ベンズアルデヒドｐ−メンタ−８−チオール−３−オン、イソブチルアセテートなどの着香剤を含むモモ、例えば、エチルトランス−２，シス−４−デカジエノエート、ヘキシルアセテート、イソアミルアセテートなどの着香剤を含む洋ナシ、例えば、エチルヘプタノエート、メチルアントラニレート（methyl anthranylate）、エチルマルトールなどの着香剤を含むブドウ、例えば、ベンズアルデヒド、エチルアセテート、エチルブチラート、シス−３−ヘキサノールなどの着香剤を含むサクランボ、例えば、シス−３−ヘキサノール、エチルマルトール、β−イオノンなどの着香剤を含むラズベリー、例えば、エチルブチラート、α−イオノン、ｌ−メントンなどの着香剤を含むブラックベリー、例えば、リナロール、ゲラニオール、トランス−２−ヘキサノールなどの着香剤を含むブルーベリー、例えば、エチルメチルフェニルグリシデート、シス−３−ヘキサノール、エチルブチラートなどの着香剤を含むイチゴ、例えば、モモと同様の着香剤にゲラニオールを加えたものなどの着香剤を含むアンズ、例えば、エチルアセテート、エチルブチラート、ジメチルサルファイド（dimethysulfide）、フルフラールなどの着香剤を含むマンゴ、例えば、ヘキシルヘキサノエート、２−ヘプタノン、シクロペンテノロンなどの着香剤を含むパッションフルーツ、例えば、１−オクタノール、ヘキサナール、ベンズアルデヒド、アセトインなどの着香剤を含むグアバ、及び、例えばアリルシクロヘキサンプロピオネート、エチルブチラート、４−ヒドロキシ−２，５−ジメチル−３（２Ｈ）−フラノンなどの着香剤を含むパイナップルが挙げられる。乳製品及び／又はバニラの香味のいくつかの好適例として、例えば、フルフリルメルカプタンなどの着香剤を含むコーヒー、例えば、バニリン、エチルバニリン、ヘリオトロピン、ジヒドロクマリンなどの着香剤を含むバニラ、例えば、イソアミルフェニルアセテート、ｐ−アニシルアセテート、酪酸、２，５−ジメチルピラジンブチルアルデヒドなどの着香剤を含むチョコレート、例えば、エチルバニリンなどの着香剤を含むバタースコッチ、例えばブチルラクテート、アセトアニソールなどの着香剤を含むキャラメル、例えば、γ−デカラクトン、アセチルプロピオニルなどの着香剤を含むクリーム、及び、例えば、４−メチル−５−ビニルチアゾール（vinythiazole）などの着香剤を含む木の実が挙げられる。
【０１０６】
その他の適切な着香剤の例には、非限定的に、冬緑油、ペパーミント油、スペアミント油、クローブの芽油、メントール、アネトール、サリチル酸メチル、オイカリプトール、カッシア、１−メンチルアセテート、セージ、オイゲノール、パセリ油、オキサノン、α−イリソン、マジョラム、レモン、オレンジ、プロペニルグエトール、桂皮、バニリン、チモール、リナロール、ＣＧＡとして知られるシンナムアルデヒドグリセロールアセタール、及びこれらの混合物が挙げられる。前述の任意の着香剤を用い、例えば、オレンジ−サクランボ、イチゴ−バナナ、バニラ−コーヒー、イチゴ−クリームなどの任意の好適な混合香味を作り出すことができる。
【０１０７】
一般に着香剤は、組成物中で、組成物の約０．００１重量％〜約５重量％の濃度で、又はこの範囲内の任意の個々の濃度で用いられる。いくつかの実施形態では、口腔ケア組成物は、約０．００１重量％〜約５重量％、又はこの範囲内の任意の個々の濃度の着香剤及び／又は甘味剤を含有してよい。いくつかの実施形態では、追加の着香剤／甘味剤の濃度は、約０．００１重量％超過、約０．００３重量％超過、約０．００５重量％超過、約０．００７重量％超過、約０．００９重量％超過、約０．０１重量％超過、約０．０２重量％超過、約０．０３重量％超過、約０．０４重量％超過、約０．０５重量％超過、約０．０６重量％超過、約０．０７重量％超過、約０．０８重量％超過、約０．０９重量％超過、約０．１重量％超過、約０．２重量％超過、約０．３重量％超過、約０．４重量％超過、約０．５重量％超過、約０．６重量％超過、約０．７重量％超過、約０．８重量％超過、約０．９重量％超過、約１重量％超過、約１．５重量％超過、約２重量％超過、約２．５重量％超過、約３重量％超過、約３．５重量％超過、約４重量％超過、約４．５重量％超過、及び／又は約５重量％未満、約４．５重量％未満、約４重量％未満、約３．５重量％未満、約３重量％未満、約２．５重量％未満、約２重量％未満、約１．５重量％未満、約１重量％未満、約０．９重量％未満、約０．８重量％未満、約０．７重量％未満、約０．６重量％未満、約０．５重量％未満、約０．４重量％未満、約０．３重量％未満、約０．２重量％未満、約０．１重量％未満、約０．０９重量％未満、約０．０８重量％未満、約０．０７重量％未満、約０．０６重量％未満、約０．０５重量％未満、約０．０４重量％未満、約０．０３重量％未満、約０．０２重量％未満、若しくは約０．０１重量％未満とすることができる。
【０１０８】
使用可能な甘味剤の例としては、スクロース、グルコース、サッカリン、スクラロース、ブドウ糖、果糖、ラクトース、マンニトール、ソルビトール、フルクトース、マルトース、キシリトール、サッカリン塩類、タウマチン、アスパルテーム、Ｄ−トリプトファン、ジヒドロカルコン、アセスルファム及びチクロ塩類、特にシクラミン酸ナトリウム、スクラロース及びナトリウムサッカリン、及びこれらの混合物が挙げられる。いくつかの実施形態では、組成物は、これらの剤を、組成物の約０．１重量％〜約１０重量％、又は約０．１重量％〜約１重量％含有してもよい。
【０１０９】
冷却剤、唾液分泌剤、加温剤、及び局部麻酔剤
本発明の口腔ケア組成物では、任意成分として、冷却剤、唾液分泌剤、加温剤及び局部麻酔剤を使用することができる。いくつかの実施形態では、これらの剤は、組成物の約０．００１％〜約１０％、又は約０．１重量％〜約１重量％の量で、組成物に存在することができる。
【０１１０】
冷却剤は、多種多様な物質のいずれかであり得る。このような物質には、カルボキサミド類、メントール、ケタール類、ジオール類、及びこれらの混合物が含まれる。本組成物に好ましい冷却剤は、「ＷＳ−３」として商業的に既知であるＮ−エチル−ｐ−メンタン−３−カルボキサミド、「ＷＳ−２３」として既知であるＮ，２，３−トリメチル−２−イソプロピルブタンアミド、及びこれらの混合物などの、パラメンタンカルボキシアミド剤である。追加の好ましい清涼剤類は、メントール、ＴＫ−１０として既知の３−１−メントキシプロパン−１，２−ジオール（高砂（Takasago）製）、ＭＧＡとして既知のメントングリセロールアセタール（ハーマン・アンド・ライマー（Haarmann and Reimer）製）及びフレスコラート（Frescolat）（登録商標）（ハーマン・アンド・ライマー（Haarmann and Reimer）製）として既知のメンチルラクテートからなる群から選択される。本明細書で使用するとき、用語、「メントール」及び「メンチル」は、これらの化合物の右旋性−及び左旋性の異性体、並びにこれらのラセミ混合物を包含する。ＴＫ−１０は、米国特許第４，４５９，４２５号（アマノ（Amano）ら、１９８４年７月１０日）に記載されている。ＷＳ−３及び他の剤が、米国特許第４，１３６，１６３号（ワトソン（Watson）ら、１９７９年１月２３日発行）に記載されている。
【０１１１】
本発明の好適な唾液分泌剤の例として、高砂（Takasago）製のジャンブ（Jambu）（登録商標）が挙げられる。加温剤の例は、トウガラシ及びベンジルニコチン酸のようなニコチン酸エステルである。好適な麻酔剤としては、ベンゾカイン、リドカイン、クローブ芽油、及びエタノールが挙げられる。
【０１１２】
いくつかの実施形態では、着香剤、冷却剤、唾液分泌剤、加温剤、及び／又は局部麻酔剤を、フルオロフォアとすることができる。
【０１１３】
乳白剤
本発明の口腔ケア組成物は更に、乳白剤を含んでもよい。当該技術分野において既知の任意の好適な乳白剤を用いてよい。好適な乳白剤のいくつかの例として、二酸化チタン、雲母、雲母コーティングされた二酸化チタン、ポリエチレン、ポリプロピレン、ポリエステル粒子、及びこれらの組み合わせなどが挙げられる。いくつかの実施形態では、乳白剤は一般に、歯磨剤組成物の約０．００１重量％〜約２０重量％、又はこの範囲内の任意の個々の濃度で含むことができる。いくつかの実施形態では、乳白剤濃度を、約０．００１重量％超過、約０．００２重量％超過、約０．００３重量％超過、約０．００４重量％超過、約０．００５重量％超過、約０．００６重量％超過、約０．００７重量％超過、約０．００８重量％超過、約０．００９重量％超過、約０．０１重量％超過、約０．０２重量％超過、約０．０３重量％超過、約０．０４重量％超過、約０．０５重量％超過、約０．０６重量％超過、約０．０７重量％超過、約０．０８重量％超過、約０．０９重量％超過、約０．１重量％超過、約０．２重量％超過、約０．３重量％超過、約０．４重量％超過、約０．５重量％超過、約０．６重量％超過、約０．７重量％超過、約０．８重量％超過、約０．９重量％超過、約１重量％超過、約２重量％超過、約３重量％超過、約４重量％超過、約５重量％超過、約６重量％超過、約７重量％超過、約８重量％超過、約９重量％超過、約１０重量％超過、約１１重量％超過、約１２重量％超過、約１３重量％超過、約１４重量％超過、約１５重量％超過、約１６重量％超過、約１７重量％超過、約１８重量％超過、約１９重量％超過、及び／又は約２０重量％未満、約１９重量％未満、約１８重量％未満、約１７重量％未満、約１６重量％未満、約１５重量％未満、約１４重量％未満、約１３重量％未満、約１２重量％未満、約１１重量％未満、約１０重量％未満、約９重量％未満、約８重量％未満、約７重量％未満、約６重量％未満、約５重量％未満、約４重量％未満、約３重量％未満、約２重量％未満、約１重量％未満、約０．９重量％未満、約０．８重量％未満、約０．７重量％未満、約０．６重量％未満、約０．５重量％未満、約０．４重量％未満、約０．３重量％未満、約０．２重量％未満、約０．１重量％未満、約０．０９重量％未満、約０．０８重量％未満、約０．０７重量％未満、約０．０６重量％未満、約０．０５重量％未満、約０．０４重量％未満、約０．０３重量％未満、約０．０２重量％未満、約０．０１重量％未満、約０．００９重量％未満、約０．００８重量％未満、約０．００７重量％未満、約０．００６重量％未満、約０．００５重量％未満、約０．００４重量％未満、約０．００３重量％未満、若しくは約０．００２重量％未満とすることができる。
【０１１４】
減感剤
本発明の口腔ケア組成物に包含できる別の任意成分は、ニトレート、クロライド、フッ化物、ホスフェート、ピロホスフェート、ポリホスフェート、クエン酸塩、シュウ酸塩、及び硫酸塩を包含する、カリウム塩、カルシウム塩、ストロンチウム塩、及びスズ塩のような過敏性を制御する象牙質減感剤である。
【０１１５】
他の活性剤
本発明の口腔ケア組成物は任意に、抗微生物剤のような他の剤を包含してもよい。かかる剤に包含されるのは、ハロゲン化ジフェニルエーテル、フェノール及びその同族体を包含するフェノール化合物、モノアルキル及びポリアルキル並びに芳香族ハロフェノール、レゾルシノール及びその誘導体、ビスフェノール化合物及びハロゲン化サリチルアニリド、安息香酸エステル及びハロゲン化カルバニリドのような非水溶性非カチオン性抗微生物剤である。水溶性抗微生物剤には、とりわけ四級アンモニウム塩及びビス−ビクアニド塩（bis-biquanide salts）が挙げられる。トリクロサンモノホスフェートは、補助的な水溶性抗微生物剤である。
【０１１６】
四級アンモニウム剤としては、四級窒素上の置換基のうちの１つ又は２つが炭素原子約８〜約２０個、典型的には約１０〜約１８個の炭素鎖長（典型的にはアルキル基）を有する一方、残りの置換基（典型的にはアルキル基又はベンジル基）は、炭素原子約１〜約７個などの、より少ない炭素原子数、典型的にはメチル基又はエチル基を有するものが挙げられる。臭化ドデシルトリメチルアンモニウム、塩化テトラデシルピリジニウム、臭化ドミフェン、塩化Ｎ−テトラデシル−４−エチルピリジニウム、臭化ドデシルジメチル（２−フェノキシエチル）アンモニウム、塩化ベンジルジメチルステアリルアンモニウム、セチルピリジニウムクロライド、四級化５−アミノ−１，３−ビス（２−エチル−ヘキシル）−５−メチルヘキサヒドロピリミジン、塩化ベンザルコニウム、塩化ベンゼトニウム及び塩化メチルベンゼトニウムは、典型的な四級アンモニウム抗細菌剤の代表例である。その他の化合物は、米国特許第４，２０６，２１５号（ベイリー（Bailey）、１９８０年６月３日発行）に開示されているようなビス［４−（Ｒ−アミノ）−１−ピリジニウム］アルカンである。
【０１１７】
銅塩類、亜鉛塩類、及びスズ塩類のような他の抗微生物剤もまた包含してよい。エンドグリコシダーゼ、パパイン、デキストラナーゼ、ムタナーゼ、及びこれらの混合物を包含する酵素もまた有用である。こうした剤は、米国特許第２，９４６，７２５号（ノリス（Norris）ら、１９６０年７月２６日）及び同第４，０５１，２３４号（ギースキー（Gieske）ら、１９７７年９月２７日）に開示されている。抗微生物剤の具体的な例として、クロルヘキシジン、トリクロサン、トリクロサンモノホスフェート、及びチモールなどの香味油が挙げられる。トリクロサン及びこの種類の他の剤は米国特許第５，０１５，４６６号（パランＪｒ．（Parran, Jr.）ら、１９９１年５月１４日発行）及び同第４，８９４，２２０号（ナビ（Nabi）ら、１９９０年１月１６日）に開示されている。抗歯垢の効果を提供するこれらの試剤は、本歯磨剤組成物の約０．０１重量％〜約５．０重量％の濃度で存在してもよい。
【０１１８】
界面活性剤
本発明の口腔ケア組成物はまた、一般的に起泡剤とも呼ばれる界面活性剤を含んでもよい。好適な界面活性剤は、広いｐＨ範囲にわたって適度に安定し、発泡性であるものである。界面活性剤は、アニオン性、非イオン性、両性、双性イオン性、カチオン性、又はこれらの混合物であってよい。
【０１１９】
本明細書で有用なアニオン性界面活性剤の例としては、アルキルラジカルに８個〜２０個の炭素原子を有するアルキルサルフェートの水溶性塩類（例えば、アルキル硫酸ナトリウム）並びに８個〜２０個の炭素原子を有する脂肪酸のスルホン化モノグリセリドの水溶性塩類が挙げられる。ラウリル硫酸ナトリウム（ＳＬＳ）及びココナツモノグリセリドスルホン酸ナトリウムは、この種類のアニオン性界面活性剤の例である。他の好適なアニオン性界面活性剤の例は、ラウロイルサルコシン酸ナトリウム、タウレート、ラウリルスルホ酢酸ナトリウム、ラウロイルイセチオン酸ナトリウム、ラウレスカルボン酸ナトリウム、及びドデシルベンゼンスルホン酸ナトリウムのようなサルコシネートである。アニオン性界面活性剤の混合物を使用することもできる。多数の好適なアニオン性界面活性剤が、米国特許第３，９５９，４５８号（アグリコーラ（Agricola）ら、１９７６年５月２５日発行）に開示されている。いくつかの実施形態では、口腔用組成物は、約０．０２５％〜約９％、いくつかの実施形態では約０．０５％〜約５％、別の実施形態では約０．１％〜約１％の濃度でアニオン性界面活性剤を含む。
【０１２０】
別の好適な界面活性剤は、サルコシネート界面活性剤、イセチオネート界面活性剤及びタウレート界面活性剤からなる群から選択されるものである。本明細書で用いるのに好ましいのは、サルコシン酸ラウロイル、サルコシン酸ミリストイル、サルコシン酸パルミトイル、サルコシン酸ステアロイル、及びサルコシン酸オレオイルの、ナトリウム塩及びカリウム塩のような、これらの界面活性剤のアルカリ金属塩又はアンモニウム塩類である。サルコシン酸界面活性剤は、本発明の組成物中に、総組成物の約０．１重量％〜約２．５重量％、又は約０．５重量％〜約２重量％で存在してよい。
【０１２１】
本発明に有用なカチオン性界面活性剤としては、約８個〜１８個の炭素原子を含有する１つのアルキル長鎖を有する脂肪族四級アンモニウム化合物の誘導体、例えばラウリルトリメチルアンモニウムクロライド、セチルピリジニウムクロライド、セチルトリメチルアンモニウムブロミド、ジ−イソブチルフェノキシエチル−ジメチルベンジルアンモニウムクロライド、ココナツアルキルトリメチルアンモニウムナイトライト、セチルピリジニウムフロライドなどが挙げられる。好ましい化合物は四級アンモニウムフッ化物であり、米国特許第３，５３５，４２１号（ブライナー（Briner）ら、１９７０年１０月２０日）に記載されているが、ここで前述の四級アンモニウムフッ化物は、洗剤の特性を有する。特定のカチオン性界面活性剤はまた、本明細書に開示された組成物中で殺菌剤として作用する場合もある。クロルヘキシジンのようなカチオン性界面活性剤は、本発明に用いられるのに好適であるが、口腔の硬組織を着色する可能性があるために好ましくない。当業者はこの可能性について承知しており、この制限のみを念頭においてカチオン性界面活性剤を組み込むべきである。
【０１２２】
本発明の組成物に用いることができる非イオン性界面活性剤としては、アルキレンオキシド基（本質的には親水性）と、本質的に脂肪族又はアルキル芳香族であってよい有機疎水性化合物との縮合によって生成される化合物が挙げられる。好適な非イオン性界面活性剤の例としては、プルロニック（Pluronic）、アルキルフェノールのポリエチレンオキシド縮合物、エチレンオキシドとプロピレンオキシド及びエチレンジアミンの反応生成物との縮合から得られる生成物、脂肪族アルコールのエチレンオキシド縮合物、長鎖三級アミンオキシド、長鎖三級ホスフィンオキシド、長鎖ジアルキルスルホキシド、及びかかる物質の混合物が挙げられる。
【０１２３】
本発明で有用な双性イオン性合成界面活性剤としては、脂肪族四級アンモニウム、ホスホニウム及びスルホニウム化合物の誘導体が挙げられ、その脂肪族ラジカルは直鎖又は分枝鎖であることができ、その際脂肪族置換基の１つは約８個〜約１８個の炭素原子を含有し、１つは例えばカルボキシ、スルホネート、硫酸塩、ホスフェート又はホスホネートのようなアニオン性水溶性基を含有する。
【０１２４】
好適なベタイン界面活性剤は、米国特許第５，１８０，５７７号（ポールフカ（Polefka）ら、１９９３年１月１９日発行）に開示されている。典型的なアルキルジメチルベタインとしては、デシルベタイン又は２−（Ｎ−デシル−Ｎ，Ｎ−ジメチルアンモニオ）アセテート、ココベタイン又は２−（Ｎ−ココ（coc）−Ｎ，Ｎ−ジメチルアンモニオ）アセテート、ミリスチルベタイン、パルミチルベタイン、ラウリルベタイン、セチルベタイン、セチルベタイン、ステアリルベタインなどが挙げられる。アミドベタインは、ココアミドエチルベタイン、ココアミドプロピルベタイン、ラウラミドプロピルベタイン等により例示される。選択されるベタイン類は、好ましくはココアミドプロピルベタイン類、より好ましくはラウラミドプロピルベタインである。
【０１２５】
増粘剤
練り歯磨き又はゲルの調製では、組成物に望ましい稠度を提供する、使用時に望ましい能動的な放出特質を提供する、貯蔵安定性を提供する及び組成物の安定性を提供する等のために、増粘剤を添加してもよい。好適な増粘剤のいくつかの例としては、カルボキシビニルポリマーの１種又は組み合わせ、カラギーナン、ヒドロキシエチルセルロース（ＨＥＣ）、天然及び合成粘土（例えば、ビーガム及びラポナイト）、並びにカルボキシメチルセルロースナトリウム（ＣＭＣ）及びカルボキシメチルヒドロキシエチルセルロースナトリウムのようなセルロースエーテルの水溶性塩が挙げられる。カラヤゴム、キサンタンガム、アラビアゴム、及びトラガカントゴムのような天然ゴムを使用することができる。更に質感を改善するために、コロイド状ケイ酸アルミニウムマグネシウム又は超微粒子状シリカを増粘剤の一部として使用することができる。
【０１２６】
増粘剤又はゲル化剤として有用な、好適なカルボキシビニルポリマーのいくつかの例としては、ペンタエリスリトールのアルキルエーテル若しくはスクロースのアルキルエーテルで架橋されたアクリル酸のホモポリマーである、カルボマーが挙げられる。カルボマーは、Ｂ．Ｆ．グッドリッチ（B.F. Goodrich）から、カーボポール（Carbopol）９３４、９４０、９４１、９５６、及びこれらの混合物を包含する、カーボポール（Carbopol）（登録商標）シリーズとして市販されている。
【０１２７】
ラクチド及びグリコリドモノマーのコポリマーである、約１，０００〜約１２０，０００（数平均）の範囲の分子量を有するコポリマーは、「歯肉縁下ゲルキャリア」として歯周ポケットの中又は歯周ポケットの周りに活性物質を送達するのに有用である。これらのポリマーは、１９９３年３月３０日及び１９９３年９月７日に各々両方共ダマニ（Damani）に発行された米国特許第５，１９８，２２０号及び同第５，２４２，９１０号、並びに１９８４年４月１７日にマテイ（Mattei）に発行された同第４，４４３，４３０号に記載されている。
【０１２８】
いくつかの実施形態では、増粘剤は、典型的には約０．１重量％〜約１５重量％の量で、又はこの範囲内の任意の個々の量で存在する。いくつかの実施形態では、増粘剤は、約０．２重量％超過、約０．３重量％超過、約０．４重量％超過、約０．５重量％超過、約０．６重量％超過、約０．７重量％超過、約０．８重量％超過、約０．９重量％超過、約１重量％超過、約１．１重量％超過、約１．２重量％超過、約１．３重量％超過、約１．４重量％超過、約１．５重量％超過、約１．６重量％超過、約１．７重量％超過、約１．８重量％超過、約１．９重量％超過、約２重量％超過、約３重量％超過、約４重量％超過、及び／又は約１５重量％未満、約１０重量％未満、約５重量％未満、約４重量％未満、約３．５重量％未満、約３重量％未満、若しくは約２．５重量％未満の量で存在してもよい。いくつかの実施形態では、増粘剤は、練り歯磨き又はゲル組成物の総量の約２重量％〜約１０重量％、約４重量％〜約８重量％の範囲で存在してもよい。チューインガム、トローチ剤及び口臭予防用ミント、香粉、非研磨ゲル及び歯肉縁下用ゲルには、より高濃度で使用してよい。
【０１２９】
保湿剤
本発明の口腔ケア組成物のその他任意のキャリア物質は、保湿剤である。保湿剤は、練り歯磨き組成物が空気への曝露時に硬化するのを防ぎ、組成物に口への潤い感を付与し、特定の保湿剤では、練り歯磨き組成物に望ましい甘い香味を付与するのに役立つ。保湿剤は、純保湿剤を基準にすると、一般に本明細書の組成物の約０重量％〜約７０重量％、好ましくは約５重量％〜約２５重量％含まれる。本発明の組成物に用いられる好適な保湿剤としては、グリセリン、ソルビトール、キシリトール、ブチレングリコール、ポリエチレングリコール、プロピレングリコール、及びトリメチルグリシンのような食用多価アルコールが挙げられる。
【０１３０】
キレート剤
他の任意の剤は、グルコン酸、酒石酸、クエン酸、及びこれらの薬剤として許容される塩類のような、隔離剤とも呼ばれるキレート剤である。キレート剤は、細菌の細胞壁に見出されるカルシウムを錯化し得る。キレート剤はまた、このバイオマスが損なわれないように保持するのに役立つカルシウムの架橋からカルシウムを除去することにより歯垢を崩壊させることができる。しかしながら、カルシウムに対する親和性が高すぎるキレート剤を用いることは、結果として歯の脱ミネラル化（demineralization）をもたらす可能性があり、これは本発明の目的及び意図に反するために、望ましくない。好適なキレート化剤は、通常はカルシウム結合定数が約１０１〜１０５であり、洗浄を改善し、歯垢及び結石の形成を低減させる。キレート剤はまた、金属イオンと錯体を形成する能力を有し、したがって、製品の安定性又は外観に対する悪影響を予防するのに役立つ。鉄又は銅のようなイオンのキレート化は、最終製品の酸化による変質の抑制に役立つ。
【０１３１】
好適なキレート剤のいくつかの例としては、グルコン酸ナトリウム又はグルコン酸カリウム及びクエン酸ナトリウム又はクエン酸カリウム、クエン酸／クエン酸アルカリ金属塩混合物、酒石酸二ナトリウム、酒石酸二カリウム、酒石酸ナトリウムカリウム、酒石酸水素ナトリウム、酒石酸水素カリウム、ポリリン酸ナトリウム、ポリリン酸カリウム、又はポリリン酸アンモニウム、及びこれらの混合物が挙げられる。いくつかの実施形態では、本発明で用いるのに好適なキレート化剤の量を、約０．１％〜約５％又はこの範囲内の任意の個々の量とすることができる。いくつかの実施形態では、その量は約０．５％〜約２．５％であり、いくつかの実施形態では、約１％〜約２．５％である。
【０１３２】
本発明に用いられる好適な、更なる他のキレート剤は、アニオン性高分子ポリカルボキシレートである。かかる物質は当該技術分野において周知であり、その遊離酸又は部分的に若しくは好ましくは完全に中和された水溶性アルカリ金属塩類（例えばカリウム、好ましくはナトリウム）若しくはアンモニウム塩類の形態で使用される。例としては、無水マレイン酸又はマレイン酸と、別の重合可能なエチレン性不飽和モノマー、好ましくは約３０，０００〜約１，０００，０００の分子量（Ｍ．Ｗ．）を有するメチルビニルエーテル（メトキシエチレン）との１：４〜４：１のコポリマーである。これらのコポリマーは、例えば、ＧＡＦケミカルズ・コーポレーション（GAF Chemicals Corporation）のガンツレツＡＮ  １３９（分子量５００，０００）、ＡＮ  １１９（分子量２５０，０００）、及びＳ−９７医薬品等級（分子量７０，０００）として入手可能である。
【０１３３】
他の有効な高分子ポリカルボキシレートとしては、無水マレイン酸とエチルアクリレート、ヒドロキシエチルメタクリレート、Ｎ−ビニル−２−ピロリドン、又はエチレンとの１：１コポリマーであって、後者は、例えばモンサント（Monsanto）ＥＭＡ  ＮＯ．１１０３、分子量１０，０００及びＥＭＡ等級６１として入手可能であるもの、及びアクリル酸とメチル若しくはヒドロキシエチルメタクリレート、メチル若しくはエチルアクリレート、イソブチルビニルエーテル又はＮ−ビニル−２−ピロリドンとの１：１コポリマー等が挙げられる。
【０１３４】
追加的な有効な高分子ポリカルボキシレートは、米国特許第４，１３８，４７７号（ガファル、１９７９年２月６日）及び同第４，１８３，９１４号（ガファルら、１９８０年１月１５日）に開示されており、無水マレイン酸とスチレン、イソブチレン又はエチルビニルエーテルとのコポリマー；ポリアクリル酸、ポリイタコン酸及びポリマレイン酸；並びにユニロイヤル（Uniroyal）ＮＤ−２として入手可能な、分子量が１，０００ほどに低いスルホアクリルオリゴマー（sulfoacrylic oligomer）が挙げられる。
【０１３５】
種々のキャリア物質
商業的に好適な口腔用組成物の調製に用いる水は、好ましくは、イオン含量が少なく、有機不純物を含まないでおくべきである。水は一般に、本明細書の水性組成物の約５重量％〜約７０重量％、及び好ましくは約２０重量％〜約５０重量％を構成する。この水の量は、添加される遊離水に加えて、ソルビトールのような他の物質とともに導入される水を包含する。
【０１３６】
本発明はまた、アルカリ金属重炭酸塩を包含してもよく、研磨、脱臭、緩衝及びｐＨ調節を包含する多くの機能を提供し得る。アルカリ金属重炭酸塩類は水に可溶性であり、安定化されていない限り、水性系で二酸化炭素を放出する傾向がある。重炭酸ナトリウムは重曹としても知られ、一般に使用されるアルカリ金属重炭酸塩である。本組成物は、約０．５％〜約３０％、好ましくは約０．５％〜約１５％、最も好ましくは約０．５％〜約５％のアルカリ金属重炭酸塩を含有してよい。
【０１３７】
本発明の組成物のｐＨを、緩衝剤を用いて調整してよい。本明細書で使用するとき、緩衝剤とは、組成物のｐＨをこれまで述べた範囲に調整するために用いることができる薬剤を指す。好適な緩衝剤のいくつかの例としては、重炭酸ナトリウム、リン酸一ナトリウム、リン酸三ナトリウム、水酸化ナトリウム、炭酸ナトリウム、酸性ピロリン酸ナトリウム、クエン酸、及びクエン酸ナトリウムが挙げられる。緩衝剤は典型的に、本発明の組成物の約０．５重量％〜約１０重量％の濃度で包含される。
【０１３８】
ポロキサマーを本組成物に使用してよい。ポロキサマーは、非イオン性界面活性剤に分類され、乳化剤、結合剤、安定剤、及び他の関連する機能性剤としても機能し得る。ポロキサマーは、分子量が１，０００〜１５，０００超の範囲である、一級ヒドロキシル基で終端をなす二官能性ブロックポリマーである。ポロキサマーは、ＢＡＳＦによりプルロニクス（Pluronics）及びプルラフロ（Pluraflo）の商標名で販売されている。本発明に好適なポロキサマーは、ポロキサマー４０７及びプルラフロＬ４３７０である。
【０１３９】
本組成物に使用してよい他の乳化剤としては、Ｂ．Ｆ．グッドリッチ（B.F.Goodrich）から入手可能なペミュレン（Pemulen）（登録商標）シリーズのような高分子乳化剤が挙げられ、これは、主に、疎水性物質用の乳化剤として有用な高分子量のポリアクリル酸ポリマーである。
【０１４０】
本発明の組成物中に用いられてよい他の任意の剤としては、アルキル及びアルコキシ−ジメチコンコポリオールから選択されるジメチコンコポリオール、例えばＣ１２〜Ｃ２０アルキルジメチコンコポリオール及びこれらの混合物が挙げられる。極めて好ましいのは、アビル（Abil）ＥＭ９０の商標名で市販されているセチルジメチコンコポリオールである。ジメチコンコポリオールは一般に、約０．０１重量％〜約２５重量％、好ましくは約０．１重量％〜約５重量％、より好ましくは約０．５重量％〜約１．５重量％の濃度で存在する。ジメチコンコポリオールは、歯の良い感触効果を提供するのに役立つ。
【０１４１】
相構成
本発明による口腔ケア組成物は、水溶性液相及び非水溶性固相で構成してもよい。いくつかの実施形態では、非水溶性固相と水溶性液相の比は、約１：９９〜約３：１、又はこの範囲内の任意の比とすることができる。いくつかの実施形態では、非水溶性固相と水溶性液相の比は、約１：９９超過、約１：５０超過、約１：２５超過、約１：２０超過、約１：１５超過、約１：１０超過、約１：７超過、約１：５超過、約１：３超過、約１：２超過、約１：１超過、約２：１超過、及び／又は約３：１未満、約２：１未満、約１：１未満、約１：２未満、約１：３未満、約１：５未満、約１：７未満、約１：１０未満、約１：１５未満、約１：２０未満、約１：２５未満、若しくは約１：５０未満とすることができる。
【０１４２】
いくつかの実施形態では、本発明の口腔ケア組成物は、約２５重量％〜約９９重量％又はこの範囲内の任意の個々の濃度の水溶性液相で構成してもよい。いくつかの実施形態では、口腔用組成物は、約１重量％〜約７５重量％又はこの範囲内の任意の個々の濃度の非水溶性相で構成してもよい。非水溶性相は、いくつかの実施形態において、前述の研磨剤を含むことができる。
【０１４３】
着色及び着香効果
ここまでで述べたように、本発明の口腔ケア組成物は、着色剤及び／又は着香剤を含んでもよい。着色剤を用い、いくつかの実施形態では、得られた口腔用組成物の色を変更することができる。同様に、着香剤を用い、いくつかの実施形態では、得られた口腔用組成物の香味を変更してもよい。したがって、得られた口腔用組成物の色と、得られた組成物の得られた香味とが対応する、実施形態が企図される。例えば、得られた口腔用組成物の色が赤色、例えば、レンガ色〜サクランボ色の色相の場合、対応する香味には、桂皮、サクランボ、イチゴ、リンゴ、香辛料、これらの組み合わせが含まれる。別の例として、得られた口腔用組成物の色がオレンジ色、例えば、黄橙色〜桃色の色相の場合、対応する香味には、オレンジ、モモ、マンゴ、トロピカルフルーツ、柑橘香味、柑橘ミントなどが含まれる。更に別の例として、得られた口腔用組成物の色が黄色、例えば、クリーム色〜明黄色の色相の場合、対応する香味には、バナナ、レモン、パイナップル、バニラ、柑橘類、トロピカル、クリームなどが含まれる。更に別の例として、口腔用組成物の得られた色が緑色、例えば、黄緑〜松色の色相の場合、対応する香味には、青リンゴ、薬草、ライム、スペアミント、ミント、ハーブ、果実などが含まれる。更に別の例として、口腔用組成物の得られた色が青色、例えば、水色〜藤紫色の色相の場合、対応する香味には、冬緑油、ペパーミント、ミント、水などが含まれる。更に別の例として、口腔用組成物の得られた色が紫色、例えば、紺色〜マゼンタの色相の場合、対応する香味には、ブルーベリー、ブドウ、ベリー類、果実などが含まれる。更に別の例として、口腔用組成物の得られた色がピンク色、例えば、明るいピンク〜フューシャ色の色相の場合、対応する香味には、綿あめ、風船ガム、ベリー類、キャンディー、菓子などが含まれる。更に別の例として、口腔用組成物の得られた色が灰色、例えば、明るい銀色〜チャコール又は黒色の色相の場合、対応する香味には、カンゾウ、アニス、香辛料などが含まれる。更に別の例として、口腔用組成物の得られた色が茶色、例えば、アイボリー〜セピア色の色相の場合、対応する香味には、クリーム、バニラ、キャラメル、コーヒー、チョコレートなどが含まれる。
【０１４４】
同様に、口腔用組成物の香味が組成物中の検出剤の蛍光色と対応する、その他の実施形態が企図される。
【０１４５】
いくつかの実施形態では、本発明の口腔用組成物は、２種の異なる着香剤、最初に口腔に接触した際に特有の香味を生じるように設計された第１の着香剤と、適当な時間の後に遅れて特有の香味を生じるように設計された第２の着香剤を含むことができる。この遅れて生じる香味は、例えば、溶解速度が小さいために、歯ブラシによる物理的操作の結果として、又はうがい薬や口内洗浄剤など、引き続き適用される物質との接触の結果、放出されるであろう。更に、いくつかの実施形態では、第１の着香剤を、組成物の全体又は特定の相の口腔用組成物の色に対応するよう選択できる。例えば、口腔用組成物が練り歯磨きの場合、第１の着香剤及び／又は第２の着香剤を、口腔用組成物中の検出剤により発光される蛍光色に対応するよう選択できる。
【０１４６】
色及び香味の上記種類もまた、口腔用組成物、例えば、ストライプやその他の多相を含む歯磨剤に対して適用できる。当該技術分野において既知の任意の好適な方法を利用し、本発明の歯磨剤にストライプ及び／又は層を付与してもよい。そのような方法の例は、米国特許出願第６０／４７３，６９２号（２００３年７月１６日出願、表題「視覚的に区別可能な多液相組成物（Visually distinctive multiple liquid phase compositions）」）に開示されている。
【０１４７】
包装効果
本発明の口腔ケア組成物を、様々な方法でパッケージ化できる。例えば、口腔ケア組成物が歯磨剤の場合、歯磨剤がディスペンサーを通して見えるような、好適なディスペンサーを利用できる。歯磨剤を、収容するディスペンサーと同じ色にしてもよいし、異なった色にしてもよい。いくつかの実施形態では、ディスペンサーの色を、組成物中の検出剤の蛍光色と同じ色又は類似する色とすることができ、両方の色とも組成物自体の色から大きく異なってもよい。この方法は、本発明の口腔ケア組成物が、パッケージの色及び組成物中の検出剤の蛍光色に対応する着香剤を含む場合、特に興味深い。
【０１４８】
更に、ブラシに備わるエネルギー源を消費者が利用し、例えば、使用において適切な口腔用組成物を目立たせる実施形態が企図される。例えば、本発明により構成された歯ブラシのパッケージにより、消費者が歯ブラシに到達し、歯ブラシのエネルギー源を作動できるようにできる。このようなパッケージは、米国特許第６，３１１，８３７号に記載される。更に、口腔用組成物の構成成分、例えば蛍光検出剤をパッケージ内に含め、エネルギー源からエネルギーが適用されたときに、このパッケージ又はその一部が蛍光するようにできる。更に、口腔用組成物のパッケージへの蛍光剤追加は、連邦食品医薬品局による承認が必要でない場合がある。したがって、パッケージに追加できる蛍光剤に対して、更なる選択肢が生じる場合がある。パッケージに追加できる蛍光剤のいくつかの好適例は、検出剤について前述したものである。任意の既知の好適な蛍光剤を利用してよい。
【０１４９】
歯ブラシ以外のその他装置が企図される。例えば、エネルギー源を商品棚上に設置し、前述のパッケージを目立たせてもよい。いくつかの実施形態では、商品棚は複数のエネルギー源を備え、複数のパッケージから複数の反応を誘発することができる。複数反応が複数の効果に対応する実施形態が企図される。例えば、青色光は、歯垢の表示に相当する第１の反応を誘発し、緑色光は、歯石の表示に相当する反応を誘発し、赤色光は、虫歯の表示に相当する反応を誘発できる。このように、消費者は、望ましい効果に基づいて適切な口腔用組成物を選択できる。
【０１５０】
その他の実施形態が企図される。例えば、いくつかの実施形態では、エネルギー源を商品棚上に設置することで、消費者が、使用において適切なパッケージの蛍光する（目立たせる）ことができる。更に、単一のエネルギー源が様々な用途の複数のパッケージを目立たせることができる実施形態が企図される。例えば、様々なパッケージにエネルギー源からエネルギーを適用されるとき、第１のパッケージが第１の蛍光色を発し、第２のパッケージが第２の蛍光色を発し、第３のパッケージが第３の蛍光色を発してよい。消費者がパッケージ間の色の違いを解釈できるように、消費者に対して手がかりを提供してよい。例えば、第１の色が歯垢除去に効果的な口腔用組成物に対応し、第２の色が歯の白色化に効果的な口腔用組成物に対応し、第３の色が抗菌目的に効果的な口腔用組成物に対応してよい。
【０１５１】
更に、パッケージ自体が、口腔ケア組成物自体の内部に又は口腔ケア組成物外のパッケージ内部に、エネルギー源を包含できる実施形態が企図される。
【０１５２】
いくつかの実施形態では、消費者、小売業者、流通業者などにより、口腔用組成物がパッケージ内にある及び／又は商品棚に置かれている間に、口腔用組成物内の検出剤が蛍光するように、パッケージを少なくとも部分的に透明としてよい。いくつかの実施形態では、消費者、小売業者、流通業者などは、パッケージが蛍光するようにパッケージにエネルギーを適用してよい。いくつかの実施形態では、消費者は、パッケージ及び口腔用組成物の両方が蛍光するようにパッケージにエネルギーを適用してよい。
【０１５３】
いくつかの実施形態では、パッケージの蛍光色が、口腔用組成物中の検出剤の蛍光色と類似してよい。いくつかの実施形態では、パッケージの蛍光色が、口腔用組成物中の検出剤の蛍光色と異なってよい。
【０１５４】
前述の実施形態では、歯ブラシに付随しない別個のエネルギー源を、同様に用いてもよい。例えば、手持ち式のライトペンは、パッケージ及び／又は口腔用組成物の蛍光が発するようにするエネルギー源を備えてよい。
【０１５５】
製造
本発明の口腔用組成物を、様々な方法で製造できる。いくつかの実施形態では、従来の製造法を利用し、上述の口腔用組成物を製造できる。検出剤を含む歯磨剤の製造に関して、その他の好適な方法を以下に記載する。
【０１５６】
いくつかの実施形態では、ジブロモフルオレセインなどのフルオロフォアを含む歯磨剤を、プレミックス、中間体ペースト、及びフルオロフォアを提供することにより製造できる。いくつかの実施形態では、プレミックスをｐＨ約９以上で提供できる。いくつかの実施形態では、ｐＨを約７〜約１１又はこの範囲内の任意の個々のｐＨ値とすることができる。フルオロフォアをプレミックスに溶解でき、プレミックス（溶解したフルオロフォアを含む）を中間体ペーストに添加でき、これにより本発明による口腔ケア組成物を形成できる。
【０１５７】
いくつかの実施形態では、中間体ペースト及びフルオロフォアを提供することにより、検出剤を含む歯磨剤を製造できる。このような実施形態では、フルオロフォアを中間体ペーストに添加できる。得られた混合物を均質化し、本発明による口腔ケア組成物を製造できる。
【０１５８】
器具／装置
開示される口腔用組成物、及び／又は本発明のキット、及び／又は本発明のレジメンと独立して、本発明の器具及び装置を利用してよい。
【０１５９】
１つの形態では、装置はエネルギー源を含んでユーザーの口腔に適用された検出剤を視覚的に強調でき、一方で、装置はユーザーの歯に接触するための毛を含むことができる。更に別の形態では、色付きの毛とエネルギー源との両方の特質を組み合わせ、単一の装置にしてよい。第１の形態のいくつかの実施形態では、エネルギー源を歯ブラシ内に備えてよい。しかし、任意の好適な器具／装置を利用してよい。いくつかの例として、歯ブラシ（手動及び電動）、ワンド、歯科用探針、フロシング装置、ウォーターピック、歯研磨器、歯肉マッサージ器、ライトペンなどが挙げられる。装置上の任意の好適な場所に、エネルギー源を配置できる。例えば、歯ブラシにおいて、エネルギー源を歯ブラシのヘッド領域、首領域、及び／又はハンドル領域に配置できる。
【０１６０】
更に、ユーザーの住居内の備品にエネルギー源を取り付ける実施形態が企図される。例えば、ユーザーがエネルギー源の電源を入れて、それを口腔に向け、表示された状態、例えば歯垢の残存を見るために鏡をのぞけるように、エネルギー源を浴室の鏡内、鏡の上、又は鏡の近くに取り付けてもよい。
【０１６１】
いくつかの実施形態では、エネルギー源に光源を含むことができ、その光源は光を発することが可能で、続いてその光が口腔用組成物に含有される検出剤を活性化できる。通常、この様な活性化光源付き歯ブラシは、消費者が所望のときに光源を作動できるスイッチを含む。更に、この様な歯ブラシは、通常は電池式であるが、従来の電源及びその他の電流で駆動する歯ブラシも企図される。ブラシは、再充電式であっても、使い捨てであってもよい。電気を用いる実施形態では、歯ブラシを再充電式若しくは使い捨てとして設計してもよく又は歯ブラシを電池交換できるように設計してもよい。更に、他の実施形態には、運動エネルギーを介して駆動するブラシを含んでよい。例えば、ブラシを振動させることにより電力を供給できる発電機を含むブラシがあってよい。次いで発電機は、蓄電要素、例えば、電池、コンデンサなどに電力を供給してよい。あるいは、発電機は、エネルギー源に対して直接電力を供給してもよい。
【０１６２】
光源を含む歯ブラシのいくつかの例は、米国特許出願公開第２００５／００５３８９５号、同第２００５／００５０６５８号、同第２００５／００５３８９６号、同第２００５／００５０６５９号、同第２００５／００５３８９８号、及びＰＣＴ国際公開特許ＷＯ  ２００４／０３０８９１号に開示されている。所望の波長で発光できる光源を供給する、その他任意の歯ブラシのデザインも用いることができる。その他の好適な歯ブラシのいくつかの例として、米国特許出願公開第２００５／０１０８８３８号に記載されるものが挙げられる。
【０１６３】
検出剤の活性化のために発光できる歯ブラシを、手動式又は電動式にすることができる。光源を追加可能な手動式歯ブラシのいくつかの好適例として、オーラルＢ（Oral-B）（登録商標）が製造し、インジケーター（Indicator）（登録商標）、ステージ（Stages）（登録商標）、アドバンテージ（Advantage）（登録商標）、及びクロスアクション（Cross Action）（登録商標）の商標名で販売されているものが挙げられる。光源を追加可能なその他の好適な手動式歯ブラシは、米国特許第４，８０２，２５５号、同第５，７４２，９７２号、米国意匠特許第Ｄ３４７，７３６号、及び同第Ｄ３５８，４８６号に記載されている。
【０１６４】
このような歯ブラシはまた、電動式、すなわち、モーター駆動式の可動部を備え、供給されるブラッシング動作を促進又は向上させることもできる。好適な電動式歯ブラシの例として、オーラルＢ（Oral-B）（登録商標）が製造し、トリンプ（Triumph）（商標）、プロフェッショナルケア（Professional Care）（商標）、ソニックコンプリート（Sonic Complete）（商標）、バイタリティ（Vitality）（商標）、アドバンスパワー（Advance Power）、クロスアクション（Cross Action）（登録商標）パワー（Power）、及びパルサー（Pulsar）（商標）の商標名で販売されるものが挙げられる。例えば、前述の米国特許出願公開第２００５／００５３８９５号、同第２００５／００５０６５８号、同第２００５／００５３８９６号、同第２００５／００５０６５９号、同第２００５／００５３８９８号、及びＰＣＴ国際公開特許ＷＯ  ２００４／０３０８９１号に記載される方法などにより、好適なエネルギー源を歯ブラシに追加し、これらの歯ブラシを、本発明で用いるのに容易に適合できる。エネルギー源の利用に容易に適合できるその他の好適な歯ブラシの例として、米国特許第６，３０８，３６７号、同第５，７４２，９７２号、及び同第６，５６４，４１６号に記載されているものが挙げられる。
【０１６５】
図１Ａに示されるように、本発明により構成された歯ブラシ１００は、ヘッド領域１１０と、首領域１１２と、ハンドル領域１１４と、を備えてよい。ハンドル領域１１４は、スイッチ部１２０及びキャップ部１２２を備えてよい。スイッチ部１２０は、エネルギー源１５０の作動及び停止が可能なスイッチ１３０を備えてよい。スイッチ１３０は、オンボタン１３０Ａ及びオフボタン１３０Ｂを備えてよい。あるいは、押し下げてエネルギー源１５０を入れ、次に押し上げてエネルギー源１５０を切る、単一のボタンをスイッチ１３０を備えてもよい。更にいくつかの実施形態では、使用中、ユーザーが歯ブラシ１００のハンドル上にかける圧力により、エネルギー源１５０を入れ、一方ユーザーが圧力を解放すると、エネルギー源１５０を切ってもよい。
【０１６６】
キャップ部１２２を、任意の好適な手段でスイッチ部１２０に嵌合してよい。例えば、キャップ部１２２を、ねじ切り型でスイッチ部１２０に嵌合してよい。この種の嵌合は、ハンドル領域１１４内に位置するエネルギー貯蔵部、例えば電池との接触が必要な場合に有利な場合がある。別の例として、キャップ部１２２をスナップ嵌めによりスイッチ部１２０に嵌合してよい。更に別の例として、キャップ部１２２及び／又はスイッチ部１２０の部分を切断及び／又は破壊せずに、キャップ部１２２をスイッチ部１２０から分離できないように、キャップ部１２２をスイッチ部１２０に溶着又は接着してよい。
【０１６７】
ハンドル領域１１４を、任意の好適な方法により製造できる。例えば、ハンドル領域１１４を、１種の材料を用いて１つの部品に射出成型してよい。あるいは、ハンドルを２種の別々の材料を用いて射出成型してよい。例えば、電気的機能単位又はその部分を第１の材料部分に配置してよい。続いて、第２の材料部分を、第１の材料部分を覆うように成型してよい。いくつかの実施形態では、第２の材料は第１の材料より軟らかくてよい。例えば、第２の材料にエラストマーを含んでよく、一方第１の材料に、ポリエチレン（ＰＥ）、ポリプロピレン（ＰＰ）、ポリエチレンテレフタレート（polyethyleneterapthalate）（ＰＥＴ）、アクリロニトリル−ブタジエン−スチレン（ＡＢＳ）、スチレン−アクリロニトリル（ＳＡＮ）を含んでよい。好適なエラストマーのいくつかの例として、ＴＰＥ、ＴＰＵ、ゴム、シリコーンなどが挙げられる。
【０１６８】
首領域１１２及びヘッド領域１１０を、一体型部品として製造してよく又はいくつかの別個の部品から製造してよい。図１Ａに示されるように、首領域１１２はハンドル領域１１４に接合している。首領域１１２を、任意の好適な手段によりハンドル領域１１４に接合してよい。例えば、首領域１１２をハンドル領域１１４に溶着してよい。別の例として、首領域１１２をハンドル領域１１４に接着剤で接合してよい。更に別の例として、首領域１１２をハンドル領域１１４にスナップ嵌めしてよい。更に別の例として、首領域１１２をねじ切り型でハンドル領域１１４に嵌合してよい。首領域１１２をハンドル領域１１４に接合する任意の好適な手段を利用してよい。
【０１６９】
ヘッド領域１１０は、長手方向軸１６０及び長手方向軸１６０に対しほぼ垂直で、長手方向軸１６０とほぼ同一平面にある横方向軸１６１を有する。横断方向軸（図示せず）は、長手方向軸１６０及び横方向軸１６１に対しほぼ垂直であり、また、長手方向軸１６０及び横方向軸１６１の面に対してもほぼ垂直である。更に、図１Ｂに示されるように、ヘッド領域１１０は、複数の毛束、例えば１７０、１７２、１７６を備え、少なくとも１か所の非毛要素１７４、例えばフィンを更に備えてもよい。毛束１７０、１７２、１７６を任意の好適な方法で配置してよい。いくつかの好適な構成／配置の例は、米国特許第５，８３６，７６９号、同第６，５６４，４１６号、同第６，３０８，３６７号、同第６，１０８，８５１号、同第６，０５８，５４１号、及び同第５，３９６，６７８号に記載されている。
【０１７０】
歯ブラシ１００は、任意の好適な種類の毛を含むことができる。例えば、歯ブラシは、非平坦毛、例えば単一成分及び多成分の毛（例えば、異なるポリマーを共押出して形成した毛）、けん縮毛、歯肉マッサージ用毛、可変形状の毛（例えば、複数の内腔を有する毛）、及びそれらの組み合わせを含んでよい。
【０１７１】
更に、示されるように、歯ブラシ１００（図１Ａに示す）はエネルギー源１５０を備えてよい。示されるように、いくつかの実施形態では、エネルギー源を歯ブラシ（図１Ａに示す）のヘッド領域１１０に配置してよい。しかし、前述したように、エネルギー源１５０を任意の好適な位置に配置してもよい。
【０１７２】
図２に示されるように、エネルギー源１５０又はその部分は、毛側面２５４の上方に延びてよい。更に、示されるように、いくつかの実施形態では、エネルギー源１５０は凸部外側面２５０を備えてよい。凸部外側面２５０は、エネルギー源１５０の外側面２５０上に歯磨剤が集まる可能性を低減することができる。あるいは、エネルギー源１５０は、毛側面２５４と同一平面上、毛側面２５４より下、又は毛側面２５４より上にある平坦な外側面を備えてもよい。エネルギー源１５０が毛側面２５４に向く実施形態が示されるが、エネルギー源１５０がヘッド領域１１０の裏側に向く（裏側からエネルギーを放出する）実施形態が企図される。
【０１７３】
示されるように、電気的接続２２０は、エネルギー貯蔵部からエネルギー源１５０までエネルギーを伝えることができる。いくつかの実施形態では、電気的接続２２０は配線を含むことができる。電気的接続２２０のその他の好適な例として、米国特許出願公開第２００４／００６０１３８号に記載されているものが挙げられる。
【０１７４】
更に、いくつかの実施形態では、歯ブラシ１００（図１Ａに示す）のヘッド領域１１０は、別個の部品を備えてよい。例えば、示されるように、いくつかの実施形態では、ヘッド領域１１０は、キャリアプレート２１０及びベースプレート２３０を備えてよい。示されるように、キャリアプレート２１０を、当該技術分野において既知の任意の好適な手段によりベースプレート２３０に取り付けられる、ヘッド領域１１０の別個の部分としてよい。例えば、キャリアプレート２１０を、ベースプレート２３０に接着剤により接合、ベースプレート２３０に溶着、及び／又はベースプレート２３０にスナップ嵌めしてよい。
【０１７５】
図３Ａに示されるように、毛１７０、１７２、及び／又は１７６をキャリアプレート２１０に取り付けることができる。反対に、エネルギー源１５０をベースプレート２３０に取り付けることができる。キャリアプレート２１０は、エネルギー源１５０を収容する開口部３５０を備えてよい。
【０１７６】
図３Ｂに示されるように、キャリアプレート２１０は複数の開口部を備え、キャリアプレート２１０が、エネルギー源１５０、並びに毛１７０の少なくとも一部、毛１７２の少なくとも一部、及び／又は、毛１７６の少なくとも一部を収容できるようにしてよい。いくつかの実施形態では、非毛要素１７４を、ベースプレート２３０に同様に取り付けてもよく、一方、キャリアプレート２１０は、キャリアプレートを通して非毛要素１７４を収容できる開口部を備える。
【０１７７】
図４Ａ及び図４Ｂに示されるように、いくつかの実施形態では、歯ブラシ１００（図１Ａに示す）のヘッド領域１１０は、毛キャリア５３０及びカバープレート５１０を備えてよい。図４Ａに示されるように、毛１７０、１７２、及び１７６を毛キャリア５３０に取り付け、毛キャリア５３０の毛側面５５４から外側に延びてよい。毛キャリア５３０は、キャリア中に開口部５５０を更に備えてよく、これによりエネルギー源１５０をカバープレート側面５５６上の毛キャリア５３０に取り付けられる。
【０１７８】
エネルギー源１５０を、任意の好適な手段により毛キャリア５３０に取り付けてよい。例えば、エネルギー源１５０を、毛キャリア５３０にスナップ嵌めしてよく、毛キャリア５３０に接着剤により接合してよく、毛キャリア５３０に溶着してよく、又はこれらの組み合わせを行ってよい。更に毛キャリア５３０を、エネルギー源１５０を覆うように射出成形してよく、これにより、エネルギー源１５０が少なくとも部分的に密閉される。エネルギー源を射出成形する方法は、米国特許出願第２００４／００６０１３８号に更に記載されている。
【０１７９】
図４Ａ及び４Ｂに示されるように、開口部５５０に水分が入る可能性を低減するために、カバープレート５１０を毛キャリア５３０に取り付け、それにより歯ブラシ１００（図１Ａに示す）のヘッド領域１１０内にエネルギー源１５０を密閉してよい。カバープレート５１０を、任意の好適な手段により毛キャリア５３０に取り付けてよい。例えば、カバープレート５３０を、毛キャリア５３０にスナップ嵌めしてよく、毛キャリア５３０に接着剤により接合してよく、毛キャリア５３０に溶着してよく、又はこれらの組み合わせを行ってよい。更に、カバープレート５１０を毛キャリア５３０内に射出成型してよく、これにより、エネルギー源１５０がヘッド領域１１０内に少なくとも部分的に密閉される。
【０１８０】
特定の実施形態では、エネルギー源１５０は光源を備えてよい。本発明で多種多様な発光要素を使用してもよい。例えば、発光要素は、カリフォルニア州サンノゼ（San Jose）のルミレッズライティング社（Lumileds Lighting, LLC）製の商品名ルクセオン（Luxeon）（商標）として市販されているもののような、小型の消費電力の小さい、発光ダイオード（ＬＥＤ）としてもよい。その他市販の発光要素として、アメリカンオプトプラスＬＥＤ社（American Opto Plus LED Corp.）から市販されるものが挙げられる。ＬＥＤは、約０．１ボルト超過約９ボルトまでなどの、比較的低電圧の直流電源で作動できる。いくつかの実施形態では、ＬＥＤは、約０．１、０．２、０．３、０．４、０．５、０．６、０．７、０．８、０．９、１、１．１、１．２、１．３、１．４、１．５、１．６、１．７、１．８、１．９、２、２．５、３、３．５、４、４．５、５、５．５、６．０、６．５、７、７．５、８、８．５ボルト超過、及び／又は約９、８．５、８、７．５、７、６．５、６、５．５、５、４．５、４、３．５、３、２．５、２、１．９、１．８、１．７、１．６、１．５、１．４、１．３、１．２、１．１、１、０．９、０．８、０．７、０．６、０．５、０．４、０．３、０．２、若しくは０．１ボルト未満の電圧で作動できる。発光要素は、約０．５、１、２、３、４、５、６、７、８、１０、１５、２０ｍｍ超過、及び／又は、約２０、１５、１０、８、７、６、５、４、３、２、若しくは１ｍｍ未満の直径を有してよい。
【０１８１】
更に、好適なエネルギー源は、多種多様の強度のエネルギーを放出してよい。任意の好適な強度を用いてよい。ＬＥＤからのエネルギー放出の強度、束密度などの特定に用いられる、様々なパラメーターが存在する。例えば、標本歯面における束密度（ＦＤＲＴ）、立体角、半角、及び／又は視角内の総光束率、放出温度、及び消費電力は、米国特許出願公開第２００５／００５３８９５号に記載される方法により測定可能である。
【０１８２】
一般に、ＬＥＤの出力密度は、ＬＥＤからより遠くへ離れるにつれ減少する。出力強度は、正弦、余弦、正接による任意の距離に対して、及び／又は、ＬＥＤの光角度と関連するピタゴラスの定理により決定される。図６に示されるように、ＬＥＤ  ６００の光角度６１０は、光がＬＥＤから放出される箇所の角度である。ＬＥＤの光角度６１０は、約０度〜約１８０度の範囲、又はこの範囲内の任意の値とすることができる。いくつかの実施形態では、光角度６１０を、約０、１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４５、５０、５５、６０、６５、７０、７５、８０、８５、９０、１００、１１０、１２０、１３０、１４０、１５０、１６０、１７０度超過、及び／又は約１８０、１７０、１６０、１５０、１４０、１３０、１２０、１１０、１００、９０、８５、８０、７５、７０、６５、６０、５５、５０、４５、４０、３９、３８、３７、３６、３５、３４、３３、３２、３１、３０、２９、２８、２７、２６、２５、２４、２３、２２、２１、２０、１９、１８、１７、１６、１５、１４、１３、１２、１１、１０、９、８、７、６、５、４、３、２、若しくは１度未満としてよい。光角度６１０は、一般的に、ＬＥＤ製造業者の仕様書から得られる。
【０１８３】
いくつかの実施形態では、ＬＥＤは、少なくとも約０．１〜約３００ｍＷ／ｃｍ２のＦＤＲＴを有してよい。いくつかの実施形態では、ＦＤＲＴを、約０．１、０．２、０．３、０．４、０．５、０．６、０．７、０．８、０．９、１、１．１、１．２、１．３、１．４、１．５、１．６、１．７、１．８、１．９、２、３、４、５、６、７、８、９、１０、１２、１４、１６、１８、２０、３０、４０、５０、６０、７０、８０、９０、１００、１１０、１２０、１３０、１４０、１５０、１６０、１７０、１８０、１９０、２００、２１０、２２０、２３０、２４０、２５０、２６０、２７０、２８０、２９０ｍＷ／ｃｍ２超過、及び／又は約３００、２９０、２８０、２７０、２６０、２５０、２４０、２３０、２２０、２１０、２００、１９０、１８０、１７０、１６０、１５０、１４０、１３０、１２０、１１０、１００、９０、８０、７０、６０、５０、４０、３０、２０、１８、１６、１４、１２、１０、９、８、７、６、５、４、３、２、１．９、１．８、１．７、１．６、１．５、１．４、１．３、１．２、１．１、１、０．９、０．８、０．７、０．６、０．５、０．４、０．３、若しくは０．２ｍＷ／ｃｍ２未満としてよい。
【０１８４】
エネルギー源と口腔用組成物の関係
図５に示されるように、エネルギー源のエネルギー強度、検出剤適用量、検出剤濃度、及び歯磨剤使用量の関係は、相関している。図５のグラフは、検出剤の濃度及び／又は適用量が減少すると、口腔からのエネルギーの反射／放出と、検出剤からのエネルギーの反射／放出との間の対比の増加をもたらすためエネルギー源の強度が要求されることを示す。
【０１８５】
更に、図５に示されるように、約０．４重量パーセント超過の検出剤濃度及び約１．５グラム超過の歯磨剤使用量は、著しい着色をもたらす場合がある。また、図５は歯磨剤に関してであるが、使用される口腔用組成物に関わらず、同様の関係が存在することに留意されたい。例えば、検出剤の濃度及び／又は適用量が減少すると、検出剤とそれ以外の口腔との間に視覚的コントラストをもたらすために、エネルギー源から放出されるエネルギー強度を増大させる必要があるかもしれない。更に、図５では、検出剤としてＤ＆ＣオレンジＮｏ．５に限定して示しているが、他の検出剤に関しても同様の関係が存在する。
【０１８６】
次に図７Ａ及び図７Ｂを参照すると、検出剤の使用に伴う毛着色の程度を低減できる歯ブラシヘッド１１０の実施形態が示される。図１Ａに示される実施形態と同様に、歯ブラシヘッド１１０は、複数の毛２７２、２７４、及び２７６、並びにエネルギー源１５０を含む。歯ブラシヘッド１１０をエネルギー源を含めずに構成することもでき、どちらの構成も本発明の範囲に含まれると企図されることが、当業者に理解されるであろう。歯磨剤中の特定の検出剤濃度が増加すると（図５では、ジブロモフルオレセイン（Ｄ＆ＣオレンジＮｏ．５）を使用する特定例を示す）、毛着色の可能性も増加する。少なくとも毛の一部を、検出剤の色と実質的に同様の色とすることにより、ブラシ着色の見た目を低減させる。ある形態では、毛をいくつかの異なる色で構成し、繰り返し色のパターンで配列してよい。例えば、検出剤がジブロモフルオレセインの場合、外側列毛２７２Ａの一部をオレンジ色で、別の外側列毛２７４Ａの色と交互の色とし、別の色はより暗い色（例えば青色）としてよい。同様に、歯ブラシヘッド１１０の先端部に位置する毛２７６Ｂを異なる色（例えば、一般に透明又は白色）で形成してよい。また、内側列毛２７２Ｃもオレンジ色で内側列毛２７６Ｃと交互とし、２７６Ｃは毛先端部２７６Ｂと同様の色とすることができる。図７Ｂを詳細に参照すると、オレンジ色の外側列毛２７２Ａを交互の対部分１７４Ａよりも短くするように、外側列毛２７２Ａ及び２７４Ａを互い違いの長さにできる。また、示されるように、内側列全体の２７２Ｃ及び２７６Ｃ、並びに外側列２７２Ａを、同程度の長さにすることもできる。
【０１８７】
更に、いくつかの実施形態では、エネルギー源１５０に最も近い毛、例えば２７６Ｂ、２７２Ａ、及び／又は２７６Ｃを、歯ブラシのヘッド領域に斜めに配置してよい。例えば、示されるように、毛２７６Ｂは、一般にヘッド領域１１０に対して斜めに配置してよく、このとき毛２７６Ｂは、歯ブラシのハンドル領域から離れる方向に傾く。反対に、毛２７２Ａ及び／又は２７６Ｃを、いくつかの実施形態では、ハンドル領域の方向に傾けてよい。
【０１８８】
毛２７６Ｂ、２７２Ａ、及び／又は２７６Ｃの角度は、ヘッド領域１１０の横断方向軸に対して測定できる。例えば、毛２７６Ｂ、２７２Ａ、及び／又は２７２Ｃがヘッド領域１１０の横断方向軸となす角度を、約０．５度超過、約１度、２度、３度、４度、５度、６度、７度、８度、９度、１０度、１１度、１２度、１３度、１４度、１５度、１７度、１８度、１９度、２０度、２５度、３０度、３５度超過、及び／又は約３５度、３０度、２５度、２０度、１９度、１８度、１７度、１６度、１５度、１４度、１３度、１２度、１１度、１０度、９度、８度、７度、６度、５度、４度、３度、２度、若しくは、１度未満とすることができる。
【０１８９】
エネルギー源１５０から離れる方向に毛が傾くことは、歯ブラシをある程度使用した後に有益である場合がある。例えば、長期間にわたりかなり使用した後、歯ブラシ毛の繊維は、ねじれた又は曲がった状態になる傾向を有することが多い。エネルギー源１５０がＬＥＤである場合、例えば、ねじれた及び／又は曲がった毛繊維はＬＥＤの光路をふさぎ、それによりＬＥＤの効果を低減させる。そのように、ＬＥＤから離れる方向に毛が傾くことで、ＬＥＤの効果を低減せずに、毛繊維をある程度ねじれた又は曲がった状態にすることができる。
【０１９０】
キット
ここまでで、本発明の口腔用組成物及びかかる口腔用組成物を活性化する本発明の装置を記載した。しかし、本発明は、上記の口腔用組成物及び装置のキットについても企図される。例えば、いくつかの実施形態では、本発明のシステムは、口腔状態（例えば歯垢）を表示できる検出剤を含む口腔用組成物と、本検出剤を活性化するエネルギー源と、を含んでよい。いくつかの実施形態では、エネルギー源からのエネルギーの適用なしに、検出剤を視覚的に確認できない。
【０１９１】
いくつかの実施形態では、本発明のキットは、口腔用組成物用ディスペンサーと、本検出剤を活性化するエネルギー源を備える歯ブラシと、任意の使用説明書と、を備えてよく、これらの物品は、典型的には単一のパッケージ内で組み合わせられる。キットは、１種以上の口腔ケア組成物を備えてよい。口腔ケア組成物のいくつかの好適例としては、練り歯磨き、歯磨剤、歯磨きゲル、歯肉縁下用ゲル、フォーム、口内洗浄剤、義歯製品、口内スプレー、薬用キャンディー、咀しゃく錠又はチューインガム、並びに任意の口腔硬組織又は口腔軟組織を含む口腔面への直接適用又は貼付用のストリップやフィルムが挙げられる。
【０１９２】
本システムを使用するために、消費者は口腔用組成物を口腔に適用する。例えば、口腔用組成物が歯磨剤の場合、消費者は、単にブラッシングを行い検出剤を歯に適用できる。別の例として、口腔用組成物が口内洗浄剤の場合、消費者は、単に口腔内を口内洗浄剤でゆすぐことにより、検出剤を口腔に適用できる。口腔用組成物が口内洗浄剤の場合、消費者が歯を磨く前、又は磨いた後に、検出剤を口腔へ適用することができる。口腔内への検出剤の適用には数秒から数分かかり、用いた特定の検出剤の種類及び濃度により変わる場合がある。更に、検出剤の適用は、検出剤を送達するのに用いる媒質によっても変わる場合がある。例えば、ブラッシングによる歯磨剤中の検出剤の適用は、口腔内を口内洗浄剤でゆすぐことによる口内洗浄剤中の検出剤の適用よりも、長くかかる場合がある。
【０１９３】
検出剤の適用がブラッシングによる場合、いくつかの実施形態では、ブラッシングを約５秒〜約１２０秒の間又はこの範囲内の任意の個々の時間行ってもよい。いくつかの実施形態では、ブラッシングを、約１０秒超過、約２０秒超過、約３０秒超過、約４０秒超過、約５０秒超過、約６０秒超過、約７０秒超過、約８０秒超過、約９０秒超過、約１００秒超過、約１１０秒超過、及び／又は約１２０秒未満、約１１０秒未満、約１００秒未満、約９０秒未満、約８０秒未満、約７０秒未満、約６０秒未満、約５０秒未満、約４０秒未満、約３０秒未満、若しくは約２０秒未満としてよい。
【０１９４】
口腔へ検出剤を適用した後、消費者は、一般的な方法で口をすすぐことにより又は単に吐き出すことにより、所望により口腔用組成物、例えば歯磨剤を除去してよい。いくつかの実施形態では、すすぎ又は吐き出しをしないように指示され、それにより口腔内をより高い検出剤濃度にできる。すすぎを行う場合、水ですすいでよく又は口内洗浄剤ですすいでよい。同様に検出剤を含む口内洗浄剤を利用することは、口腔内の全ての面に検出剤が触れることを確実にするのに役立つ場合がある。
【０１９５】
更に、口腔用組成物をブラッシングにより口腔に適用する場合、ユーザーは歯ブラシを洗い流してよい。この工程は、エネルギー源が歯ブラシのヘッド領域にあり、ブラシの毛部分に面する場合に役立つ場合がある。これらの場合、口腔用組成物の適用中、歯ブラシをすすぐ前に、エネルギー源は使用済み口腔用組成物で少なくとも部分的に覆われる。このように歯ブラシをすすぐことにより、使用済み歯磨剤でエネルギー源のエネルギー強度が落ちる可能性を低減する場合がある。
【０１９６】
口腔内に存在する可能性がある状態を明らかにするために、ユーザー又は第三者は、口腔にエネルギー源を適用してよい。エネルギー源が歯ブラシ上にある実施形態では、エネルギー源を含む歯ブラシの一部を口腔内に挿入できる。エネルギー源からエネルギーを適用すると、検出剤は蛍光することができる。このように、検出剤は、状態、例えば歯垢の残存を、ユーザー及び／又は観察者に対し明らかにできる。観察者は口腔の蛍光する領域を直接見ることができるが、ユーザーは口腔の蛍光する領域を見るために鏡を用いる必要がある。
【０１９７】
エネルギー源が歯ブラシヘッドの毛側面からエネルギーを放出するように、歯ブラシヘッドに位置するエネルギー源の１つの効果は、歯ブラシが、観察を容易にするための、ユーザーによる軟組織の移動を助けることである。例えば、ユーザーは、本発明により構成された歯ブラシを用いてブラッシングできる。更に、ブラッシングが行われたことを調べるため、ユーザーは、歯ブラシ上のエネルギー源を、歯ブラシを口腔から取り出さずに活性化できる。表示の観察が促進されるよう、エネルギー源が目的の観察部位から一定の距離をおくように、歯ブラシヘッドの背部を用いて軟組織を移動させてよい。
【０１９８】
いくつかの実施形態では、口腔面とエネルギー源との間の間隔は、約０．１ｍｍ〜約６０ｃｍ、又はこの範囲内の任意の個々の間隔とすることができる。いくつかの実施形態では、エネルギー源と口腔内の状態との間隔は、約０．１ｍｍ超過、約０．２ｍｍ超過、約０．３ｍｍ超過、約０．４ｍｍ超過、約０．５ｍｍ超過、約０．６ｍｍ超過、約０．７ｍｍ超過、約０．８ｍｍ超過、約０．９ｍｍ超過、約１ｍｍ超過、約２ｍｍ超過、約３ｍｍ超過、約４ｍｍ超過、約５ｍｍ超過、約６ｍｍ超過、約７ｍｍ超過、約８ｍｍ超過、約９ｍｍ超過、約１０ｍｍ超過、約１１ｍｍ超過、約１２ｍｍ超過、約１３ｍｍ超過、約１４ｍｍ超過、約１５ｍｍ超過、約１６ｍｍ超過、約１７ｍｍ超過、約１８ｍｍ超過、約１９ｍｍ超過、約２０ｍｍ超過、約２５ｍｍ超過、約３０ｍｍ超過、約３５ｍｍ超過、約４０ｍｍ超過、約４５ｍｍ超過、約５０ｍｍ超過、約５５ｍｍ超過、約６０ｍｍ超過、約７０ｍｍ超過、約８０ｍｍ超過、約９０ｍｍ超過、約１００ｍｍ超過、約１１０ｍｍ超過、約１２０ｍｍ超過、約１４０ｍｍ超過、約１６０ｍｍ超過、約１８０ｍｍ超過、約２００ｍｍ超過、約２２０ｍｍ超過、約２４０ｍｍ超過、約２６０ｍｍ超過、約２８０ｍｍ超過、約３００ｍｍ超過、約３２０ｍｍ超過、約３４０ｍｍ超過、約３６０ｍｍ超過、約３８０ｍｍ超過、約４００ｍｍ超過、約４２０ｍｍ超過、約４４０ｍｍ超過、約４６０ｍｍ超過、約４８０ｍｍ超過、約５００ｍｍ超過、約５２０ｍｍ超過、約５４０ｍｍ超過、約５６０ｍｍ超過、約５８０ｍｍ超過、及び／又は約６００ｍｍ未満、約５８０ｍｍ未満、約５６０ｍｍ未満、約５４０ｍｍ未満、約５２０ｍｍ未満、約５００ｍｍ未満、約４８０ｍｍ未満、約４６０ｍｍ未満、約４４０ｍｍ未満、約４２０ｍｍ未満、約４００ｍｍ未満、約３８０ｍｍ未満、約３６０ｍｍ未満、約３４０ｍｍ未満、約３２０ｍｍ未満、約３００ｍｍ未満、約２８０ｍｍ未満、約２６０ｍｍ未満、約２４０ｍｍ未満、約２２０ｍｍ未満、約２００ｍｍ未満、約１８０ｍｍ未満、約１６０ｍｍ未満、約１４０ｍｍ未満、約１２０ｍｍ未満、約１００ｍｍ未満、約８０ｍｍ未満、約６０ｍｍ未満、約４０ｍｍ未満、約２０ｍｍ未満、約１０ｍｍ未満、約９ｍｍ未満、約８ｍｍ未満、約７ｍｍ未満、約６ｍｍ未満、約５ｍｍ未満、約４ｍｍ未満、約３ｍｍ未満、約２ｍｍ未満、約１ｍｍ未満、約０．９ｍｍ未満、約０．８ｍｍ未満、約０．７ｍｍ未満、約０．６ｍｍ未満、約０．５ｍｍ未満、約０．４ｍｍ未満、約０．３ｍｍ未満、若しくは約０．２ｍｍ未満とすることができる。
【０１９９】
次の工程として、ユーザー又は第三者は、残存する歯垢の除去又は表示された状態の削減のために蛍光を発した口腔の領域を、再ブラッシング又はブラッシング（予め口内洗浄剤を用いた場合）してよい。いくつかの実施形態では、口腔にエネルギーを加えて口腔内の状態を明らかにした後の次の工程としては、ブラッシング、すすぎ、フロス、ピッキング、抗歯垢剤の適用、又はこれらの組み合わせを挙げてよい。続いて、前述の工程を繰り返してよい。特に、ユーザーは口を再度ゆすぎ、使用済み歯磨剤の一部を除去してよい。更に、ユーザー又は第三者は口腔にエネルギー源を適用し、問題となる歯の上の歯垢の残存を再度確認してよい。必要に応じて、任意のブラッシングにより追加の検出剤を歯に適用し、できる限り状態を目立たせるため、追加の検出剤を口腔に供給することができる。
【０２００】
更に、本発明のキットに、特定の目的のために特に設計された様々な歯洗浄装置を含んでもよい。例えば、目立たされた領域が主に歯間である場合、歯間装置、例えば電動フロス（power flosser）、フロス、歯間ヘッド付き歯ブラシ、例えばオーラルＢ（Oral-B）（登録商標）エンドタフテッドブラシ（End-Tufted Brush）を利用してよい。更に別の例として、目立たせれた領域が主に歯肉線上又は歯肉上である場合、歯肉洗浄装置、例えばオーラルＢ（Oral-B）（登録商標）ガムスティミュレーター（Gum Stimulator）を利用してよい。
【０２０１】
あるいは、キットに複数の交換可能なヘッド領域を持つ電動歯ブラシ本体が含まれる実施形態が企図される。例えば、検出剤の適用と通常のブラッシングに対して、第１のブラシヘッドを通常のブラッシング用に使用してよい。しかし、目立たされた領域が主に歯間及び歯肉線に沿う場合、第２のブラシヘッド、例えばオーラルＢ（Oral-B）（登録商標）パワーチップ（Power Tip）（登録商標）を利用してよい。このように、キットに、口腔内で異なる役割を発揮する複数の付属ブラシを有する電動歯ブラシが含まれる実施形態が企図される。
【０２０２】
再ブラッシングの後、残存する蛍光する任意の領域は、二次的な又は重篤な歯及び／又は口腔の問題を表示してよい。このように、ユーザーは、次のステップとして、歯科医による援助を求めてもよい。
【０２０３】
本発明で使用するのに選択される特定の検出剤、並びにその濃度を、検出剤に対するエネルギー源からのエネルギー適用範囲外において、本検出剤が視覚的に確認できない、又は少なくとも容易には視覚的に認識できないように選択できる。この方法の結果として、従来の歯垢検出剤、例えば多量（すなわち０．０１ｇ超）のエリトロシン（ＦＤ＆Ｃ赤色染料３号）などで一般的な問題である、口腔用組成物と接触する口腔及びその他面の著しい着色が、大幅に低減する。これは、通常の使用条件下では、検出剤の残存が視覚的に容易に確認できず、ユーザーの判断で光を当てたときにのみ、より視覚的に確認できるようになるからである。しかし、いくつかの実施形態では、望ましくは、エネルギー源から供給される光とは明らかに異なる色の可視光線の放出により、本検出剤に光を当てるのと同時に、口腔内の状態、例えばブラッシングで除去されていない歯垢が存在するはっきりした証拠を提供することができる。
【０２０４】
前述したように、いくつかの実施形態では、検出剤が供給される口腔用組成物の色とは大きく異なる色の光を放出する、検出剤を選択できる。例えば、口腔用組成物が赤色の場合、検出剤の蛍光色をオレンジ色とすることができる。更に別の例として、口腔用組成物が緑色の場合、検出剤の蛍光色を黄色とすることができる。
【０２０５】
前述のシステムには、様々な種類が可能である。例えば、検出剤の蛍光放出を誘発するエネルギー源を含む歯ブラシの代わりに、別個のエネルギー源からエネルギーを供給することができる。別個のエネルギー源のいくつかの好適例として、懐中電灯、光源付きワンド、光源付きデンタルピック、エネルギー源を内蔵するラバーチップなどを挙げてよい。この場合、システムは、望ましくは、上述した本発明の口腔用組成物と、この別個のエネルギー源との組み合わせから構成される可能性がある。
【０２０６】
同様に、上述の検出剤を供給するために歯磨剤を用いる代わりに、うがい薬、口内洗浄剤、歯磨き粉、塗布ジェル、ストリップ、フィルム、口内スプレー、薬用キャンディー、咀しゃく錠、チューインガム、義歯製品、及びこれらに類似するものなど、その他のキャリアも本目的で使用できる。この場合、家庭での歯垢除去ケアシステムは、望ましくは、上述した活性化光源付き歯ブラシと、このようなその他のフルオロフォア含有キャリアとの組み合わせから構成されることもある。
【０２０７】
上述したキットは、個別に用いて大きな効果を上げることができるが、他の処置と組み合わせて、より一層の口腔の健康上の利益をもたらす、総合的な口腔ケアのレジメンに発展させることもできる。例えば、上述のキットを用い、その後に歯垢殺菌用の抗菌性口内洗浄剤による処置を行うことができる。このような抗菌性口内洗浄剤のいくつかの好適例は、米国特許第４，５９２，４８８号及び米国特許出願公開第２００５／０１６９８５２Ａ１号に記載されている。この処置は、フルオロフォア含有歯磨剤又はキャリアでの処置の後、好適な時間経過、例えば、１５分、３０分、又は更に１時間までに抗菌性口内洗浄剤を用いた場合に、更により効果的である可能性がある。
【０２０８】
更に、又は別の方法として、上述した本発明のキットを用いる歯垢除去を、例えば様々なフッ化物塩を用いる虫歯予防、例えばトリクロサン、フッ化第一スズ、又は精油などの抗菌剤を用いる歯肉炎予防、又は塩化ストロンチウム又は硝酸カリウムなどの成分の使用による知覚過敏管理をもたらすうがい薬又は口内洗浄剤による処置の前、又はこれら処置と組み合わせて行うことができる。歯垢殺菌用抗菌剤を含むこれら成分のいくつか又は全てを含有する単一のうがい薬又は口内洗浄剤も使用することができる。
【０２０９】
レジメンには、好ましくはブラッシング及び任意のすすぎ工程の直前又は直後のフロシングの工程を更に包含してもよい。フロシングは、歯の間の領域、歯肉線、及び他の手の届きにくい領域をきれいにし、及びこれらの領域を歯磨剤及び任意の洗浄剤からの活性物質の送達がより届きやすくなるようにする。好ましくは、フロスそのものがフロシング中に送達される抗菌活性物質を含有する。フロスは抗菌剤を既に含有して供給されてもよく、又はレジメンの一部として、消費者がフロスに抗菌性歯磨剤又はうがい薬を含侵させてもよい。
【０２１０】
更に、レジメンは、口中への微生物の再導入を避けるために、歯ブラシ又は歯間装置のための消毒剤として抗菌性うがい薬を用いる消毒工程を包含してもよい。
【０２１１】
これらのレジメンを実行するため、本発明は、そのようなレジメンが含まれる追加的な単回の工程又は複数回の工程を実行するための、１種以上の追加の道具及び／又は補給品を含む改良型口腔衛生キットも企図する。例えば、改良型キットに、抗菌性うがい薬、及び／又は、少なくとも１種の歯間装置、及び任意に最適な効果に達するためのレジメン実施説明書を更に含めてもよい。また、所望により、この改良型キット中の口腔用組成物は、歯垢殺菌用抗菌剤も含んでよい。このような改良型キットとレジメンは、例えば歯肉炎及び歯周病を有する、又はこれらの疾患の発症リスクがある消費者にとって、特に有用であろう。このような改良型口腔衛生キットが、上で示す１種以上の追加の道具及び／又は補給品を含む一方で、フルオロフォア含有口腔ケア組成物、又は本発明の活性化光源付き装置のどちらか一方を含まないことも企図される。
【０２１２】
また、レジメンは、日ごと、２週ごと、週ごと、月ごと、又は他の期間について設計されてもよい。レジメンは、夜、朝、特定の時間内（例えば４時間にわたる）、又はその日を通じて、といったその日の特定の時間に行われる場合に、最大の効果が得られるように設計されてよい。週ごとのレジメンは、週に１回又は２回のみ使用される１以上の製品の使用を包含してよい。例えば、白色化製品は週に１回だけ使用されてもよく、別の日は洗浄力の大きな歯磨剤の使用に当て、また別の日は集中的製品の使用に当ててもよい。集中的製品とは、ゲル、セラム、又は追加のフッ化物、強化された抗菌剤、若しくは毎日ベースよりも少ない使用で効果を与えるいずれかの他の口腔活性成分を提供する他の形態であってよい。
【０２１３】
レジメンにおける１つの工程は、活性化組成物の使用を含んでいてよい。活性化組成物は、洗浄剤若しくはゲル、又は口腔面に組成物を送達するあらゆる他の形態であってよい。活性化組成物はその処置又はそれに続く工程の効果を高めることを意図している。例えば、活性化洗浄剤がブラッシング前に使用されて、フッ化物歯磨剤によるブラッシング時にフッ化物をより良好に吸収できるようにしてもよい。より良好な白色化又は過酸化物の吸収のために白色化前の工程として活性化ゲルが使用されてもよい。
【０２１４】
１つの実施形態は、朝の口臭に関する一般消費者の症訴からも明らかなように、口が歯垢細菌の繁茂に対して最も脆弱である夜を通して口を保護するための集中的な夜の処置を企図している。このレジメンは、活性化洗浄剤を使用するすすぎ工程の後、白色化剤類、抗菌剤類、及びフッ化物などの成分を含有する処置製品を適用することを包含する。集中的処置製品は好ましくは、口腔ケア活性物質のためのキャリアとして、歯及び他の口腔面に対して実質的である物質を包含し、そしてこれにより、そこにコーティングを付着させて、活性物質がその意図された機能を実行できる口腔面上にその活性物質が容易に付着及び保持されるようにする。加えて、実質的なコーティングは、汚れ、染み、並びに細菌及び他の望ましくない沈着物の付着に対する抵抗性をもらす。集中的処置製品として好適である組成物は、例えば、実質的な剤としてアニオン性官能化ポリシロキサン類を用いる米国特許第７，０２５，９５０号、及び米国特許出願公開第２００３０２１１０５０Ａ１号として公開されている米国特許出願１０／４３０，５２０、ポリホスフェート類を用いる米国特許第６，５５５，０９４号、同第６，８２１，５０７号、及び同第６，７１３，０４９号に開示されている。
【０２１５】
いくつかの実施形態では、レジメン中の１工程に、ブースター製品を含んでもよい。これは、歯磨剤とともに歯ブラシ上に塗られる組成物であってよい。ブースター製品は、本明細書に記載される検出剤を含んでもよい。ブースター製品はセラム、ゲル、液体、又は歯磨剤と組み合わせることのできる他の形態であってよい。ブースター製品は、ブラッシング工程とともに又はレジメン中で指定された通りに使用される場合がある。
【０２１６】
他の実施形態では、レジメンは口腔内のｐＨのバランスを取る又はｐＨを制御するように設計される。レジメンは抗菌製品によるブラッシング及びすすぎの工程を包含する。抗菌製品は好ましくは口中の緩衝能の向上を提供するように処方されてよい。レジメンにおける工程は好ましくは最大の有効性を得るために間隔をあけられる。好ましくは、すすぎ工程は、ブラッシングの少なくとも３０分後、及び１２０分後までに実施される。レジメンはまた、好ましくは、各食後にすすぎ又はブラッシング工程も含む。口腔内のｐＨのバランスを取るためのレジメンのためのキットは、抗菌性歯磨剤、抗菌性口内洗浄剤、及び家の外で使用するための小さな又は旅行サイズの抗菌性歯磨剤又は口内洗浄剤を包含してもよい。
【０２１７】
上述したように、本レジメンにデンタルフロスなどの歯間装置の使用を含んでよい。使用に適したデンタルフロスは、例えば、米国特許第５，５１８，０１２号（ドラン（Dolan）ら）に開示されており、ここでは、塩化セチルピリジニウムなどの抗菌剤を混合可能な膨脹型ポリテトラフルオロエチレン（polytetraflouroethylene）（ＰＴＦＥ）フロスが開示される。第１の抗菌剤を含有するデンタルフロスは、同様に第１の抗菌剤及び／又は第２の抗菌剤を含有する洗浄剤の後に使用されてよい。例えば、デンタルフロスは塩化セチルピリジニウム（ＣＰＣ）を含有でき、口内洗浄剤も塩化セチルピリジニウム、又は別の方法として過酸化水素を含有できる。生物学的に利用の高いレベルのＣＰＣを含有する洗浄剤は、プロクター＆ギャンブル社（Procter & Gamble Company）によりクレストプロヘルス（Crest Pro Health）（商標）として市販されている。洗浄剤及びデンタルフロスは、朝、又は晩以前のあらゆる時間に使用され得る過酸化物活性物質を含有する物質のストリップと組み合わせて、晩に使用され得る。このような物質のストリップの例は、米国特許第５，８９１，４５３号（セイゲル（Sagel）ら）に開示されており、これは朝に使用され得る。あるいは、物質のストリップは、米国特許第６，０９６，３２８号（セイゲル（Sagel）ら）に開示されているような抗微生物又は抗菌剤を含有することができる。更に他の実施形態では、物質のストリップは、歯白色化剤を１以上の抗菌剤と組み合わせ含有することができ、この例は、米国特許出願第６０／７０１，７７８号（２００５年７月２２日出願、表題「歯の白色化製品（Tooth Whitening Products）」に開示されている。更に他の実施形態では、抗菌剤を含有する洗浄剤及びフロスを、就寝中に着用できる抗菌剤を含有する物質のストリップと組み合わせて晩に使用することができ、就寝中に使用するのに好適であることができ、抗菌剤を組み込むことのできる物質のストリップが、米国特許第６，６４９，１４７号（イエ（Ye）ら）に開示されている。前述のレジメンは、抗菌剤を口腔に送達することができる又は歯ブラシ上の微生物の増殖を防止又は低減し、それによって歯ブラシから口腔への微生物の移行を低減する若し
くはなくすことができる歯ブラシと、全体的に又は部分的に更に組み合わせることができ、このような歯ブラシの例は、米国特許第５，９９８，４３１号及び同第６，００９，５８９号に開示されている。前述した製品のいずれも、組み合わせて及びキットとして包装し、口腔ケア構成要素類の単一のシステムとして分配することができる。
【０２１８】
更に他の実施形態では、酸素又は酸素ラジカルを歯肉組織に又は歯肉組織の下に送達する歯ブラシを、上述のレジメン及び製品と、全体的に又は部分的に組み合わせることができる。１つの例では、酸素又は酸素ラジカルを歯肉組織に送達するために振動歯ブラシを使用することができる。使用に好適であり得る歯ブラシは、米国特許第５，３７８，１５３号に開示されている。過酸化物（例えば、過酸化水素、過酸化カルバミド、及び過酸化カルシウム）のような酸素発生剤を含む組成物を歯肉組織に送達する歯ブラシもまた使用できる。歯肉組織に又は歯肉組織の下に酸素発生剤を含む組成物を分与及び送達することのできる歯ブラシの例は、米国特許第５，４７６，３８４号及び同第６，６４８，６４１号に開示されている。
【０２１９】
１つのレジメンでは、酸素発生剤を含む洗浄剤又はフロスを、酸素発生剤を分与又は送達する歯ブラシと組み合わせて使用してもよい。他の実施形態では、第１の剤を歯肉組織に又は歯肉組織の下に送達する洗浄剤又はフロスを、第１の剤と組み合わせて酸素、酸素ラジカル、他のラジカル、及び／又はこれらの混合物を発生する第２の剤を送達する歯ブラシと組み合わせて使用してもよい。あるいは、歯ブラシが第１の剤を送達してよく、洗浄剤及び／又はフロスが第２の剤を送達してもよい。第１の剤には、歯石、歯垢、又は口腔組織（例えば、軟質及び／又は硬質組織）に対する親和性が与えられていてよく、その結果第２の剤の適用が、歯肉組織及びその下の場所を包含する細菌及び他の微生物が凝縮される場合のある場所に酸素、酸素ラジカル、又は他のラジカルを発生させる。
【０２２０】
更に他の実施形態では、フロスが第１の剤を送達してよく、洗浄剤が第２の剤を送達してよい。口腔／有機組織に付着して第１の剤を送達することのできる組成物の例は、米国特許公開（U.S. Publication Nos.）第２００３／０２１１０５１号、及び同第２００３／０２１１０５０号に開示されている。酸素、酸素ラジカル、他のラジカル、及び／又はこれらの混合物を直接的又は間接的に発生できる使用に好適であり得る第１の及び第２の剤は、例えば米国特許第５，３０２，３７５号（ビシオ（Viscio））に開示されている。
【０２２１】
歯科医院での用途
更に他の実施形態では、フロスが第１の剤を送達してよく、洗浄剤が第２の剤を送達してよい。口腔／有機組織に付着して第１の剤を送達することのできる組成物の例は、米国特許公開（U.S. Publication Nos.）第２００３／０２１１０５１号、及び同第２００３／０２１１０５０号に開示されている。酸素、酸素ラジカル、他のラジカル、及び／又はこれらの混合物を直接的に又は間接的に発生できる使用に好適であり得る第１の及び第２の剤は、例えば米国特許第５，３０２，３７５号（ビシオ（Viscio））に開示されている。
【０２２２】
本発明の口腔用組成物、装置、キット、レジメンは、消費者に対して効果的であるが、同様に、歯科医院又はその他類似する環境で歯科医療従事者が活用してもよい。例えば、本発明によって製造された歯磨剤を、活性化光源付き歯ブラシ、又は、特別に業務用として設計された別の活性化光源を用いて、歯科医院において使用できる。電池式装置も企図されるが、通常このような業務用「強力」活性化光源は、標準的な電流（米国では６０Ｈｚ／１２０Ｖ）で駆動されるであろう。
【実施例】
【０２２３】
以下は、本発明にしたがって構成された歯磨剤の実施例である。
【０２２４】
（実施例）
【表１】
2010508947.tif 000006
【０２２５】
試験方法
吸光度及び透過性は、以下の式の関係がある。
【０２２６】
透過率：
【数４】
2010508947.tif 000007
式中、Ｔは透過率であり、Ｐは試料から出る放射力であり、及びＰｏは、試料に入る入射放射力である。
【０２２７】
透過率パーセント：
【数５】
2010508947.tif 000008
【０２２８】
吸光度：
【数６】
2010508947.tif 000009
式中、Ｐｏ、Ｐ及びＴは、上で定義される。
【０２２９】
剤のスペクトル吸光度プロファイル及び吸収極大の測定方法λＣ及びλＤの測定
特定の剤又は剤の混合物の吸収極大波長は、盲検体試料のバックグラウンドに対する、その剤の溶液のスペクトルスキャンから決定される。周囲の波長に対し、試料が最大吸収に達したときの波長が極大である。測定する剤の数及び種類に応じて、対象とする波長範囲中に、試料が１つ以上の極大を有する場合がある。試料のスペクトルスキャンは、アジレントテクノロジーズ社（Agilant Technologies）（米国カルフォルニア州パロアルト（Palo Alto）ページミルロード（Page Mill Rd）３９５）のアジレント（Agilant）８４５３などのＵＶ−ＶＩＳ分光分析装置を用いて得られる。吸光度測定に対して同様の機能を有する同種の機器も使用できるが、蛍光による干渉を防ぐため、蛍光剤の分光吸光特性を測定する際は、逆光学分光分析装置の使用が必要である。逆光学という用語は、波長フィルターが試料の前よりも試料の後にあることを意味する。
【０２３０】
水溶性剤については、剤のスペクトルスキャンはその剤の水溶液から得られる。ベールの法則により、極大波長における吸光度が試料溶液中の剤の濃度に対して直線的に相関する範囲の剤濃度を用いて、検出剤のスキャンを得なくてはならない。
【０２３１】
ベールの法則は、吸光度はモル吸光係数（molar absorbtivity）×剤の濃度×光路長に等しいと述べている。剤がその濃度に対して直線的に相関する濃度範囲は、その剤のモル吸光係数に依存する。各剤が持つモル吸光係数は、他の剤と同一、類似、又は大きく異なる場合がある。したがって、まず一連の濃度で実験を行い、直線範囲を確認しなければならない。
【０２３２】
一般に、試料の吸光度は、操作上の直線範囲について、０．２超過１．２未満である。しかし、極大波長の測定には、スペクトルスキャンを計測する濃度範囲を選択する前に、各剤における直線範囲を確認しなければならない。
【０２３３】
試料は、盲検体標準に対して測定される。盲検体標準は、単一の剤又は複数の剤を含まないことを除き、試験試料と同一の溶液である。盲検体試料では、単一の剤又は複数の剤は、主な溶媒、一般には水で置き換えられる。測定を行うために、試料及び盲検体標準を１ｃｍの石英セルに入れる。測定プロセスの第１工程は、バックグラウンドとして盲検体試料を測定することである。バックグラウンド試料を収集したのち、引き続いて試験試料のスキャンを得てよい。この試験方法の目的において、最小スキャン範囲は、可視スペクトルをカバーする３８０ｎｍ〜８００ｎｍである。スキャニングの増加分は２ｎｍ未満とし、積分時間は０．５秒とする。
【０２３４】
組成物中の剤の吸収極大を測定するために、測定前に組成物から不溶性微粒子を除去しなくてはならない。一般に、組成物を水で希釈し、不溶性微粒子を分離する遠心分離を行うことができる。遠心分離後、得られた上清が実質的に透明でない場合、光の物理的干渉のため、その試料はＵＶ−ＶＩＳ測定に適していない。組成物を測定するとき、その剤と同一のバックグラウンドマトリックスで、同一の希釈率のブランク標準を調製することが重要である。
【０２３５】
剤が水溶性でない場合、可視範囲におけるスペクトルスキャン測定を干渉しない限りは、別の溶媒を用いてよい。例えば、一部の剤にはアルコールを用いてよい。
【０２３６】
検出剤の蛍光極大の測定方法λＥの測定
特定の蛍光剤又は剤の混合物の励起波長及び発光波長は、モレキュラーデバイス社（Molecular Devices）（カリフォルニア州サニーヴェール（Sunnyvale））のスペクトラマックスジェミニ（SpectraMax Gemini）又はスペクトラマックスＭ５（SpectraMax M5）などの分光蛍光光度計を用いて、その剤の溶液の蛍光スペクトルのプロットから決定される。励起極大は、試料が最大蛍光放射に達したときの、周囲の波長に対する励起波長である。同様に、発光極大は、周囲の発光波長に対して最大時に試料がエネルギーを放出するときの波長である。測定する剤の数及び種類に応じて、対象とする波長範囲中に、試料が１つ以上の励起極大及び発光極大を有する場合がある。剤のスペクトルスキャンはその剤の溶液から得られる。蛍光特性の検出に用いられる溶媒は、評価する特定の剤と、使用目的の状況によって変わる。典型的な溶媒の例として、水及びメタノールが挙げられる。励起極大及び発光極大の波長が機器のダイナミックレンジ内である剤濃度を用いて、その剤における分光蛍光光度計のスキャンを得なくてはならない。機器の範囲内である剤の濃度範囲は、測定した励起波長における、その剤の量子収量又は合計光出力に依存する。したがって、一連の濃度で実験を行い、使用する濃度が機器のダイナミックレンジ内にあることを確認しなければならない。製造業者の説明書による蛍光剤定量用蛍光標準で機器を較正し、溶媒／マトリックス内の他の剤の影響を、結果の解釈に含めなければならない。組成物中の剤の蛍光特性の測定には、測定前に組成物から不溶性微粒子を除去することが要求される。組成物を測定溶媒で希釈し、遠心分離を行って微粒子を除去する。遠心分離後、得られた上清が実質的に透明でない場合、光の物理的干渉のため、その試料は測定に適していない。組成物を測定するとき、同一の希釈率における、バックグラウンドマトリックスの蛍光特性を評価することが重要である。
【０２３７】
本明細書に開示されている寸法及び値は、列挙した正確な数値に厳しく限定されるものとして理解すべきではない。それよりむしろ、特に規定がない限り、こうした寸法はそれぞれ、列挙された値とその値周辺の機能的に同等の範囲との両方を意味するものとする。例えば、「４０ｍｍ」として開示された寸法は、「約４０ｍｍ」を意味することを意図する。
【０２３８】
本発明の「発明を実施するための形態」で引用したすべての文献は、関連部分において、本明細書に参考として組み込まれるが、いずれの文献の引用も、それが本発明に対する先行技術であることを容認するものとして解釈されるべきではない。本書における用語のいずれかの意味又は定義が、参考として組み込まれた文献におけるその用語のいずれかの意味又は定義と相反する限りにおいては、本書においてその用語に与えられた意味又は定義を適用するものとする。
【０２３９】
本発明の特定の諸実施形態を図示し、記載したが、本発明の趣旨及び範囲から逸脱することなく他の様々な変更及び修正を実施できることは当業者には自明であろう。したがって、本発明の範囲内にあるこのようなすべての変更及び修正を、添付の特許請求の範囲で扱うものとする。
【０２４０】
以下の本文は、本発明の多種多様な実施形態の大まかな説明を示す。この説明は単なる例示として解釈するものとし、あらゆる可能な実施形態を説明するのは不可能ではないとしても非現実的であるため、以下の説明は、あらゆる可能な実施形態を説明するものではなく、また、本明細書に記載されている機構、特徴、構成成分、組成物、成分、製品、工程、又は方法論のいずれも、本明細書に記載されている他のいずれかの機構、特徴、構成成分、組成物、成分、製品、工程、若しくは方法論と組み合わせるか、又は全体的若しくは部分的にこれらに置き換えたりできることが理解されるであろう。最新の技術又は本特許の申請日以降に開発された技術のいずれかを用いて、非常に多くの代替的な実施形態を実施することができるが、このような実施形態はそれでも、本請求項の範囲内に含まれることになるであろう。
【図１Ａ】
2010508947.tif 000010
【図１Ｂ】
2010508947.tif 000011
【図２】
2010508947.tif 000012
【図３Ａ】
2010508947.tif 000013
【図３Ｂ】
2010508947.tif 000014
【図４Ａ】
2010508947.tif 000015
【図４Ｂ】
2010508947.tif 000016
【図５】
2010508947.tif 000017
【図６】
2010508947.tif 000018
【図７Ａ】
2010508947.tif 000019
【図７Ｂ】
2010508947.tif 000020
【国際調査報告】
2010508947.tif 000021
2010508947.tif 000022
2010508947.tif 000023
2010508947.tif 000024
2010508947.tif 000025